(57)【要約】      （修正有）【課題】次世代規格ＩＭＴ−２０２０において効率的に通信を行うことができる装置を提供する。【解決手段】ＢＷＰ（ＢａｎｄＷｉｄｔｈＰａｒｔ）と呼称されるリソースグリッドのサブセットのみを用いて送受信を行うことを端末装置に指示し、初期下りリンクにおけるＢＷＰの共通リソースブロックの数ＮＢＷＰ＿ｉｎｉｔＲＢを端末装置に対して設定する。ＮＢＷＰ＿ｉｎｉｔＲＢは、第３のオフセットＮｏｆｆｓｅｔ３、制御リソースセットがマップされる共通リソースブロックの数ＮＣＯＲＥＳＥＴ＿ｉｎｉｔＲＢ、および、ＰＢＣＨがマップされる共通リソースブロックの数ＮＰＢＣＨ＿ｏｖｅｒｌａｐＲＢに少なくとも基づき与えられ、これらのリソースブロックの数は、第３のサブキャリア間隔によって定義される。【選択図】図１１
2019198014.tif 000002
【特許請求の範囲】
【請求項１】
ＰＢＣＨを受信し、
初期下りリンクＢＷＰの制御リソースセットに対応するサーチスペースにおいてＤＣＩフォーマットを含むＰＤＣＣＨをモニタする受信部を備え、
前記ＰＢＣＨは、共通リソースブロックに関連する第１のオフセットＮｏｆｆｓｅｔ１を示す第１の上位層のパラメータ、および、サブキャリアに関する第３のオフセットＮｏｆｆｓｅｔ３を示す第２の上位層のパラメータを少なくとも含み、
前記第１のオフセットＮｏｆｆｓｅｔ１は、第１のサブキャリアから第２のサブキャリアまでの差を示し、
前記第１のサブキャリアは、第１のサブキャリア間隔に対する第１の共通リソースブロックのうちの最も周波数が低いサブキャリアであり、
前記第２のサブキャリアは、第２のサブキャリア間隔に対する複数のサブキャリアであり、且つ、前記ＰＢＣＨがマップされる前記複数のサブキャリアのうちの最も周波数が低いサブキャリアであり、
前記第１のサブキャリアから前記第２のサブキャリアまでの差は、前記第２のサブキャリア間隔によって定義されるサブキャリアの数によって与えられ、
前記第３のオフセットＮｏｆｆｓｅｔ３は、第２の共通リソースブロックから前記第１の共通リソースブロックまでの差を示し、
前記第２の共通リソースブロックは、第３のサブキャリア間隔に対する複数の共通リソースブロックであり、且つ、前記制御リソースセットがマップされる前記複数の共通リソースブロックのうちの最も周波数が低い共通リソースブロックであり、
前記第２の共通リソースブロックから前記第１の共通リソースブロックまでの差は、前記第３のサブキャリア間隔によって定義される共通リソースブロックの数によって与えられ、
前記初期下りリンクＢＷＰの共通リソースブロックの数ＮＢＷＰ＿ｉｎｉｔＲＢは、前記第３のオフセットＮｏｆｆｓｅｔ３、前記制御リソースセットがマップされる共通リソースブロックの数ＮＣＯＲＥＳＥＴ＿ｉｎｉｔＲＢ、および、前記ＰＢＣＨが完全に、または、部分的にマップされる共通リソースブロックの数ＮＰＢＣＨ＿ｏｖｅｒｌａｐＲＢに少なくとも基づき与えられ、
前記共通リソースブロックの数ＮＢＷＰ＿ｉｎｉｔＲＢ、前記共通リソースブロックの数ＮＣＯＲＥＳＥＴ＿ｉｎｉｔＲＢ、および、前記共通リソースブロックの数ＮＰＢＣＨ＿ｏｖｅｒｌａｐＲＢは、前記第３のサブキャリア間隔によって定義される
端末装置。
【請求項２】
前記第３のサブキャリア間隔は、前記ＰＢＣＨに含まれる第３の上位層のパラメータによって与えられる
請求項１に記載の端末装置。
【請求項３】
前記第１のサブキャリア間隔と前記第２のサブキャリア間隔は、第１の所定のサブキャリア間隔である
請求項１に記載の端末装置。
【請求項４】
前記第１の所定のサブキャリア間隔は１５ｋＨｚである
請求項３に記載の端末装置。
【請求項５】
前記第１のサブキャリア間隔は、第２の所定のサブキャリア間隔であり、
前記第２のサブキャリア間隔は、前記第３の上位層のパラメータによって与えられる
請求項２に記載の端末装置。
【請求項６】
ＰＢＣＨを送信し、
初期下りリンクＢＷＰの制御リソースセットに対応するサーチスペースにおいてＤＣＩフォーマットを含むＰＤＣＣＨを送信する送信部を備え、
前記ＰＢＣＨは、共通リソースブロックに関連する第１のオフセットＮｏｆｆｓｅｔ１を示す第１の上位層のパラメータ、および、サブキャリアに関する第３のオフセットＮｏｆｆｓｅｔ３を示す第２の上位層のパラメータを少なくとも含み、
前記第１のオフセットＮｏｆｆｓｅｔ１は、第１のサブキャリアから第２のサブキャリアまでの差を示し、
前記第１のサブキャリアは、第１のサブキャリア間隔に対する第１の共通リソースブロックのうちの最も周波数が低いサブキャリアであり、
前記第２のサブキャリアは、第２のサブキャリア間隔に対する複数のサブキャリアであり、且つ、前記ＰＢＣＨがマップされる前記複数のサブキャリアのうちの最も周波数が低いサブキャリアであり、
前記第１のサブキャリアから前記第２のサブキャリアまでの差は、前記第２のサブキャリア間隔によって定義されるサブキャリアの数によって与えられ、
前記第３のオフセットＮｏｆｆｓｅｔ３は、第２の共通リソースブロックから前記第１の共通リソースブロックまでの差を示し、
前記第２の共通リソースブロックは、第３のサブキャリア間隔に対する複数の共通リソースブロックであり、且つ、前記制御リソースセットがマップされる前記複数の共通リソースブロックのうちの最も周波数が低い共通リソースブロックであり、
前記第２の共通リソースブロックから前記第１の共通リソースブロックまでの差は、前記第３のサブキャリア間隔によって定義される共通リソースブロックの数によって与えられ、
前記初期下りリンクＢＷＰの共通リソースブロックの数ＮＢＷＰ＿ｉｎｉｔＲＢは、前記第３のオフセットＮｏｆｆｓｅｔ３、前記制御リソースセットがマップされる共通リソースブロックの数ＮＣＯＲＥＳＥＴ＿ｉｎｉｔＲＢ、および、前記ＰＢＣＨが完全に、または、部分的にマップされる共通リソースブロックの数ＮＰＢＣＨ＿ｏｖｅｒｌａｐＲＢに少なくとも基づき与えられ、
前記共通リソースブロックの数ＮＢＷＰ＿ｉｎｉｔＲＢ、前記共通リソースブロックの数ＮＣＯＲＥＳＥＴ＿ｉｎｉｔＲＢ、および、前記共通リソースブロックの数ＮＰＢＣＨ＿ｏｖｅｒｌａｐＲＢは、前記第３のサブキャリア間隔によって定義される
基地局装置。
【請求項７】
前記第３のサブキャリア間隔は、前記ＰＢＣＨに含まれる第３の上位層のパラメータによって与えられる
請求項６に記載の基地局装置。
【請求項８】
前記第１のサブキャリア間隔と前記第２のサブキャリア間隔は、第１の所定のサブキャリア間隔である
請求項６に記載の基地局装置。
【請求項９】
前記第１の所定のサブキャリア間隔は１５ｋＨｚである
請求項８に記載の基地局装置。
【請求項１０】
前記第１のサブキャリア間隔は、第２の所定のサブキャリア間隔であり、
前記第２のサブキャリア間隔は、前記第３の上位層のパラメータによって与えられる
請求項７に記載の基地局装置。
【請求項１１】
端末装置に用いられる通信方法であって、
ＰＢＣＨを受信するステップと、
初期下りリンクＢＷＰの制御リソースセットに対応するサーチスペースにおいてＤＣＩフォーマットを含むＰＤＣＣＨをモニタするステップと、を備え、
前記ＰＢＣＨは、共通リソースブロックに関連する第１のオフセットＮｏｆｆｓｅｔ１を示す第１の上位層のパラメータ、および、サブキャリアに関する第３のオフセットＮｏｆｆｓｅｔ３を示す第２の上位層のパラメータを少なくとも含み、
前記第１のオフセットＮｏｆｆｓｅｔ１は、第１のサブキャリアから第２のサブキャリアまでの差を示し、
前記第１のサブキャリアは、第１のサブキャリア間隔に対する第１の共通リソースブロックのうちの最も周波数が低いサブキャリアであり、
前記第２のサブキャリアは、第２のサブキャリア間隔に対する複数のサブキャリアであり、且つ、前記ＰＢＣＨがマップされる前記複数のサブキャリアのうちの最も周波数が低いサブキャリアであり、
前記第１のサブキャリアから前記第２のサブキャリアまでの差は、前記第２のサブキャリア間隔によって定義されるサブキャリアの数によって与えられ、
前記第３のオフセットＮｏｆｆｓｅｔ３は、第２の共通リソースブロックから前記第１の共通リソースブロックまでの差を示し、
前記第２の共通リソースブロックは、第３のサブキャリア間隔に対する複数の共通リソースブロックであり、且つ、前記制御リソースセットがマップされる前記複数の共通リソースブロックのうちの最も周波数が低い共通リソースブロックであり、
前記第２の共通リソースブロックから前記第１の共通リソースブロックまでの差は、前記第３のサブキャリア間隔によって定義される共通リソースブロックの数によって与えられ、
前記初期下りリンクＢＷＰの共通リソースブロックの数ＮＢＷＰ＿ｉｎｉｔＲＢは、前記第３のオフセットＮｏｆｆｓｅｔ３、前記制御リソースセットがマップされる共通リソースブロックの数ＮＣＯＲＥＳＥＴ＿ｉｎｉｔＲＢ、および、前記ＰＢＣＨが完全に、または、部分的にマップされる共通リソースブロックの数ＮＰＢＣＨ＿ｏｖｅｒｌａｐＲＢに少なくとも基づき与えられ、
前記共通リソースブロックの数ＮＢＷＰ＿ｉｎｉｔＲＢ、前記共通リソースブロックの数ＮＣＯＲＥＳＥＴ＿ｉｎｉｔＲＢ、および、前記共通リソースブロックの数ＮＰＢＣＨ＿ｏｖｅｒｌａｐＲＢは、前記第３のサブキャリア間隔によって定義される
通信方法。
【請求項１２】
基地局装置に用いられる通信方法であって、
ＰＢＣＨを送信するステップと、
初期下りリンクＢＷＰの制御リソースセットに対応するサーチスペースにおいてＤＣＩフォーマットを含むＰＤＣＣＨを送信する送信部ステップと、を備え、
前記ＰＢＣＨは、共通リソースブロックに関連する第１のオフセットＮｏｆｆｓｅｔ１を示す第１の上位層のパラメータ、および、サブキャリアに関する第３のオフセットＮｏｆｆｓｅｔ３を示す第２の上位層のパラメータを少なくとも含み、
前記第１のオフセットＮｏｆｆｓｅｔ１は、第１のサブキャリアから第２のサブキャリアまでの差を示し、
前記第１のサブキャリアは、第１のサブキャリア間隔に対する第１の共通リソースブロックのうちの最も周波数が低いサブキャリアであり、
前記第２のサブキャリアは、第２のサブキャリア間隔に対する複数のサブキャリアであり、且つ、前記ＰＢＣＨがマップされる前記複数のサブキャリアのうちの最も周波数が低いサブキャリアであり、
前記第１のサブキャリアから前記第２のサブキャリアまでの差は、前記第２のサブキャリア間隔によって定義されるサブキャリアの数によって与えられ、
前記第３のオフセットＮｏｆｆｓｅｔ３は、第２の共通リソースブロックから前記第１の共通リソースブロックまでの差を示し、
前記第２の共通リソースブロックは、第３のサブキャリア間隔に対する複数の共通リソースブロックであり、且つ、前記制御リソースセットがマップされる前記複数の共通リソースブロックのうちの最も周波数が低い共通リソースブロックであり、
前記第２の共通リソースブロックから前記第１の共通リソースブロックまでの差は、前記第３のサブキャリア間隔によって定義される共通リソースブロックの数によって与えられ、
前記初期下りリンクＢＷＰの共通リソースブロックの数ＮＢＷＰ＿ｉｎｉｔＲＢは、前記第３のオフセットＮｏｆｆｓｅｔ３、前記制御リソースセットがマップされる共通リソースブロックの数ＮＣＯＲＥＳＥＴ＿ｉｎｉｔＲＢ、および、前記ＰＢＣＨが完全に、または、部分的にマップされる共通リソースブロックの数ＮＰＢＣＨ＿ｏｖｅｒｌａｐＲＢに少なくとも基づき与えられ、
前記共通リソースブロックの数ＮＢＷＰ＿ｉｎｉｔＲＢ、前記共通リソースブロックの数ＮＣＯＲＥＳＥＴ＿ｉｎｉｔＲＢ、および、前記共通リソースブロックの数ＮＰＢＣＨ＿ｏｖｅｒｌａｐＲＢは、前記第３のサブキャリア間隔によって定義される
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「ＥＵＴＲＡ：Ｅｖｏｌｖｅｄ  Ｕｎｉｖｅｒｓａｌ  Ｔ
ｅｒｒｅｓｔｒｉａｌ  Ｒａｄｉｏ  Ａｃｃｅｓｓ」と称する。）が、第三世代パートナーシッププロジェクト（3GPP:3rd Generation Partnership Project）において検討され
ている。ＬＴＥにおいて、基地局装置はｅＮｏｄｅＢ（evolved NodeB）、端末装置はＵ
Ｅ（User Equipment）とも呼称される。ＬＴＥは、基地局装置がカバーするエリアをセル状に複数配置するセルラー通信システムである。単一の基地局装置は複数のサービングセルを管理してもよい。
【０００３】
３ＧＰＰでは、国際電気通信連合（ITU:International Telecommunication Union）が
策定する次世代移動通信システムの規格であるＩＭＴ（International Mobile Telecommunication）―２０２０に提案するため、次世代規格（NR: New Radio）の検討が行われて
いる（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満た
すことが求められている。
【０００４】
３ＧＰＰにおいて、キャリア周波数帯域のチャネル番号（ARFCN: Absolute Radio Frequency Channel Number）が規定されている（非特許文献２、非特許文献３）。
【先行技術文献】
【非特許文献】
【０００５】
【非特許文献１】"New SID proposal: Study on New Radio Access Technology"， RP-160671， NTT docomo， 3GPP TSG RAN Meeting #71，Goteborg， Sweden， 7th - 10th March， 2016．
【０００６】
【非特許文献２】"3GPP TS 38.101-1 V15.1.0 (2018-03)", 6th April, 2018.
【０００７】
【非特許文献３】"3GPP TS 38.101-2 V15.1.0 (2018-03)", 6th April, 2018.
【発明の概要】
【発明が解決しようとする課題】
【０００８】
本発明は、効率的に通信を行う端末装置、該端末装置に用いられる通信方法、効率的に通信を行う基地局装置、該基地局装置に用いられる通信方法を提供する。
【課題を解決するための手段】
【０００９】
（１）本発明の第１の態様は、端末装置であって、ＰＢＣＨを受信し、初期下りリンクＢＷＰの制御リソースセットに対応するサーチスペースにおいてＤＣＩフォーマットを含むＰＤＣＣＨをモニタする受信部を備え、前記ＰＢＣＨは、共通リソースブロックに関連する第１のオフセットＮｏｆｆｓｅｔ１を示す第１の上位層のパラメータ、および、サブキャリアに関する第３のオフセットＮｏｆｆｓｅｔ３を示す第２の上位層のパラメータを少なくとも含み、前記第１のオフセットＮｏｆｆｓｅｔ１は、第１のサブキャリアから第２のサブキャリアまでの差を示し、前記第１のサブキャリアは、第１のサブキャリア間隔
に対する第１の共通リソースブロックのうちの最も周波数が低いサブキャリアであり、前記第２のサブキャリアは、第２のサブキャリア間隔に対する複数のサブキャリアであり、且つ、前記ＰＢＣＨがマップされる前記複数のサブキャリアのうちの最も周波数が低いサブキャリアであり、前記第１のサブキャリアから前記第２のサブキャリアまでの差は、前記第２のサブキャリア間隔によって定義されるサブキャリアの数によって与えられ、前記第３のオフセットＮｏｆｆｓｅｔ３は、第２の共通リソースブロックから前記第１の共通リソースブロックまでの差を示し、前記第２の共通リソースブロックは、第３のサブキャリア間隔に対する複数の共通リソースブロックであり、且つ、前記制御リソースセットがマップされる前記複数の共通リソースブロックのうちの最も周波数が低い共通リソースブロックであり、前記第２の共通リソースブロックから前記第１の共通リソースブロックまでの差は、前記第３のサブキャリア間隔によって定義される共通リソースブロックの数によって与えられ、前記初期下りリンクＢＷＰの共通リソースブロックの数ＮＢＷＰ＿ｉｎｉｔＲＢは、前記第３のオフセットＮｏｆｆｓｅｔ３、前記制御リソースセットがマップされる共通リソースブロックの数ＮＣＯＲＥＳＥＴ＿ｉｎｉｔＲＢ、および、前記ＰＢＣＨが完全に、または、部分的にマップされる共通リソースブロックの数ＮＰＢＣＨ＿ｏｖｅｒｌａｐＲＢに少なくとも基づき与えられ、前記共通リソースブロックの数ＮＢＷＰ＿ｉｎｉｔＲＢ、前記共通リソースブロックの数ＮＣＯＲＥＳＥＴ＿ｉｎｉｔＲＢ、および、前記共通リソースブロックの数ＮＰＢＣＨ＿ｏｖｅｒｌａｐＲＢは、前記第３のサブキャリア間隔によって定義される。
【００１０】
（２）本発明の第２の態様は、基地局装置であって、ＰＢＣＨを送信し、初期下りリンクＢＷＰの制御リソースセットに対応するサーチスペースにおいてＤＣＩフォーマットを含むＰＤＣＣＨを送信する送信部を備え、前記ＰＢＣＨは、共通リソースブロックに関連する第１のオフセットＮｏｆｆｓｅｔ１を示す第１の上位層のパラメータ、および、サブキャリアに関する第３のオフセットＮｏｆｆｓｅｔ３を示す第２の上位層のパラメータを少なくとも含み、前記第１のオフセットＮｏｆｆｓｅｔ１は、第１のサブキャリアから第２のサブキャリアまでの差を示し、前記第１のサブキャリアは、第１のサブキャリア間隔に対する第１の共通リソースブロックのうちの最も周波数が低いサブキャリアであり、前記第２のサブキャリアは、第２のサブキャリア間隔に対する複数のサブキャリアであり、且つ、前記ＰＢＣＨがマップされる前記複数のサブキャリアのうちの最も周波数が低いサブキャリアであり、前記第１のサブキャリアから前記第２のサブキャリアまでの差は、前記第２のサブキャリア間隔によって定義されるサブキャリアの数によって与えられ、前記第３のオフセットＮｏｆｆｓｅｔ３は、第２の共通リソースブロックから前記第１の共通リソースブロックまでの差を示し、前記第２の共通リソースブロックは、第３のサブキャリア間隔に対する複数の共通リソースブロックであり、且つ、前記制御リソースセットがマップされる前記複数の共通リソースブロックのうちの最も周波数が低い共通リソースブロックであり、前記第２の共通リソースブロックから前記第１の共通リソースブロックまでの差は、前記第３のサブキャリア間隔によって定義される共通リソースブロックの数によって与えられ、前記初期下りリンクＢＷＰの共通リソースブロックの数ＮＢＷＰ＿ｉｎｉｔＲＢは、前記第３のオフセットＮｏｆｆｓｅｔ３、前記制御リソースセットがマップされる共通リソースブロックの数ＮＣＯＲＥＳＥＴ＿ｉｎｉｔＲＢ、および、前記ＰＢＣＨが完全に、または、部分的にマップされる共通リソースブロックの数ＮＰＢＣＨ＿ｏｖｅｒｌａｐＲＢに少なくとも基づき与えられ、前記共通リソースブロックの数ＮＢＷＰ＿ｉｎｉｔＲＢ、前記共通リソースブロックの数ＮＣＯＲＥＳＥＴ＿ｉｎｉｔＲＢ、および、前記共通リソースブロックの数ＮＰＢＣＨ＿ｏｖｅｒｌａｐＲＢは、前記第３のサブキャリア間隔によって定義される。
【００１１】
（３）本発明の第３の態様は、端末装置に用いられる通信方法であって、ＰＢＣＨを受信するステップと、初期下りリンクＢＷＰの制御リソースセットに対応するサーチスペースにおいてＤＣＩフォーマットを含むＰＤＣＣＨをモニタするステップと、を備え、前記
ＰＢＣＨは、共通リソースブロックに関連する第１のオフセットＮｏｆｆｓｅｔ１を示す第１の上位層のパラメータ、および、サブキャリアに関する第３のオフセットＮｏｆｆｓｅｔ３を示す第２の上位層のパラメータを少なくとも含み、前記第１のオフセットＮｏｆｆｓｅｔ１は、第１のサブキャリアから第２のサブキャリアまでの差を示し、前記第１のサブキャリアは、第１のサブキャリア間隔に対する第１の共通リソースブロックのうちの最も周波数が低いサブキャリアであり、前記第２のサブキャリアは、第２のサブキャリア間隔に対する複数のサブキャリアであり、且つ、前記ＰＢＣＨがマップされる前記複数のサブキャリアのうちの最も周波数が低いサブキャリアであり、前記第１のサブキャリアから前記第２のサブキャリアまでの差は、前記第２のサブキャリア間隔によって定義されるサブキャリアの数によって与えられ、前記第３のオフセットＮｏｆｆｓｅｔ３は、第２の共通リソースブロックから前記第１の共通リソースブロックまでの差を示し、前記第２の共通リソースブロックは、第３のサブキャリア間隔に対する複数の共通リソースブロックであり、且つ、前記制御リソースセットがマップされる前記複数の共通リソースブロックのうちの最も周波数が低い共通リソースブロックであり、前記第２の共通リソースブロックから前記第１の共通リソースブロックまでの差は、前記第３のサブキャリア間隔によって定義される共通リソースブロックの数によって与えられ、前記初期下りリンクＢＷＰの共通リソースブロックの数ＮＢＷＰ＿ｉｎｉｔＲＢは、前記第３のオフセットＮｏｆｆｓｅｔ３、前記制御リソースセットがマップされる共通リソースブロックの数ＮＣＯＲＥＳＥＴ＿ｉｎｉｔＲＢ、および、前記ＰＢＣＨが完全に、または、部分的にマップされる共通リソースブロックの数ＮＰＢＣＨ＿ｏｖｅｒｌａｐＲＢに少なくとも基づき与えられ、前記共通リソースブロックの数ＮＢＷＰ＿ｉｎｉｔＲＢ、前記共通リソースブロックの数ＮＣＯＲＥＳＥＴ＿ｉｎｉｔＲＢ、および、前記共通リソースブロックの数ＮＰＢＣＨ＿ｏｖｅｒｌａｐＲＢは、前記第３のサブキャリア間隔によって定義される。
【００１２】
（４）本発明の第４の態様は、基地局装置に用いられる通信方法であって、ＰＢＣＨを送信するステップと、初期下りリンクＢＷＰの制御リソースセットに対応するサーチスペースにおいてＤＣＩフォーマットを含むＰＤＣＣＨを送信する送信部ステップと、を備え、前記ＰＢＣＨは、共通リソースブロックに関連する第１のオフセットＮｏｆｆｓｅｔ１を示す第１の上位層のパラメータ、および、サブキャリアに関する第３のオフセットＮｏｆｆｓｅｔ３を示す第２の上位層のパラメータを少なくとも含み、前記第１のオフセットＮｏｆｆｓｅｔ１は、第１のサブキャリアから第２のサブキャリアまでの差を示し、前記第１のサブキャリアは、第１のサブキャリア間隔に対する第１の共通リソースブロックのうちの最も周波数が低いサブキャリアであり、前記第２のサブキャリアは、第２のサブキャリア間隔に対する複数のサブキャリアであり、且つ、前記ＰＢＣＨがマップされる前記複数のサブキャリアのうちの最も周波数が低いサブキャリアであり、前記第１のサブキャリアから前記第２のサブキャリアまでの差は、前記第２のサブキャリア間隔によって定義されるサブキャリアの数によって与えられ、前記第３のオフセットＮｏｆｆｓｅｔ３は、第２の共通リソースブロックから前記第１の共通リソースブロックまでの差を示し、前記第２の共通リソースブロックは、第３のサブキャリア間隔に対する複数の共通リソースブロックであり、且つ、前記制御リソースセットがマップされる前記複数の共通リソースブロックのうちの最も周波数が低い共通リソースブロックであり、前記第２の共通リソースブロックから前記第１の共通リソースブロックまでの差は、前記第３のサブキャリア間隔によって定義される共通リソースブロックの数によって与えられ、前記初期下りリンクＢＷＰの共通リソースブロックの数ＮＢＷＰ＿ｉｎｉｔＲＢは、前記第３のオフセットＮｏｆｆｓｅｔ３、前記制御リソースセットがマップされる共通リソースブロックの数ＮＣＯＲＥＳＥＴ＿ｉｎｉｔＲＢ、および、前記ＰＢＣＨが完全に、または、部分的にマップされる共通リソースブロックの数ＮＰＢＣＨ＿ｏｖｅｒｌａｐＲＢに少なくとも基づき与えられ、前記共通リソースブロックの数ＮＢＷＰ＿ｉｎｉｔＲＢ、前記共通リソースブロックの数ＮＣＯＲＥＳＥＴ＿ｉｎｉｔＲＢ、および、前記共通リソースブロックの数ＮＰＢＣＨ＿ｏｖｅｒｌａｐＲＢは、前記第３のサブキャリア間隔によって定義される。
【発明の効果】
【００１３】
この発明によれば、端末装置は効率的に通信を行うことができる。また、基地局装置は効率的に通信を行うことができる。
【図面の簡単な説明】
【００１４】
【図１】本実施形態の一態様に係る無線通信システムの概念図である。
【図２】本実施形態の一態様に係るＮｓｌｏｔｓｙｍｂ、サブキャリア間隔の設定μ、スロット設定、および、ＣＰ設定の関係を示す一例である。
【図３】本実施形態の一態様に係るサブフレームにおけるリソースグリッドの一例を示す概略図である。
【図４】本実施形態の一態様に係るＰＵＣＣＨフォーマットとＰＵＣＣＨフォーマットの長さＮＰＵＣＣＨｓｙｍｂおよびＮＵＣＩ０の関係の一例を示す図である。
【図５】本実施形態の一態様に係る制御リソースセットのリソースブロックへのマッピングの一例を示す図である。
【図６】本実施形態の一態様に係る端末装置１の構成を示す概略ブロック図である。
【図７】本実施形態の一態様に係る基地局装置３の構成を示す概略ブロック図である。
【図８】本実施形態の一態様に係る共通リソースブロック（CRB: Common Resource Block）のセットを示す一例である。
【図９】本実施形態の一態様に係る通信方法の一例を示す図である。
【図１０】本実施形態の一態様に係るＤＭＲＳのマッピングの一例を示す図である。
【図１１】本実施形態の一態様に係るＮＰＢＣＨ＿ｏｖｅｒｌａｐＲＢの一例を示す図である。
【図１２】本実施形態の一態様に係るＮＰＢＣＨ＿ｏｖｅｒｌａｐＲＢの一例を示す図である。
【図１３】本実施形態の一態様に係る通信方法の一例を示す図である。
【発明を実施するための形態】
【００１５】
以下、本発明の実施形態について説明する。
【００１６】
パラメータまたは情報が１または複数の値を示すことは、該パラメータまたは該情報が該１または複数の値を示すパラメータまたは情報を少なくとも含むことであってもよい。上位層のパラメータは、単一の上位層のパラメータであってもよい。上位層のパラメータは、複数のパラメータを含む情報要素（IE: Information Element）であってもよい。
【００１７】
図１は、本実施形態の一態様に係る無線通信システムの概念図である。図１において、無線通信システムは、端末装置１Ａ〜１Ｃ、および基地局装置３を具備する。以下、端末装置１Ａ〜１Ｃを端末装置１とも呼称する。
【００１８】
以下、フレーム構成について説明する。
【００１９】
本実施形態の一態様に係る無線通信システムにおいて、ＯＦＤＭ（Orthogonal Frequency Division Multiplex）が少なくとも用いられる。ＯＦＤＭシンボルは、ＯＦＤＭの時
間領域の単位である。ＯＦＤＭシンボルは、少なくとも１または複数のサブキャリア（subcarrier）を含む。ＯＦＤＭシンボルは、ベースバンド信号生成において時間連続信号（time-continuous signal）に変換される。
【００２０】
サブキャリア間隔（SCS: SubCarrier Spacing）は、サブキャリア間隔Δｆ＝２μ・１
５ｋＨｚによって与えられてもよい。例えば、サブキャリア間隔の設定（subcarrier spa
cing configuration）μは０、１、２、３、４、および／または、５のいずれかに設定されてもよい。あるＢＷＰ（BandWidth Part）のために、サブキャリア間隔の設定μが上位層のパラメータにより与えられてもよい。ＢＷＰは、キャリアバンドパート（CBP: Carrier Bandwidth Part）とも呼称される。
【００２１】
本実施形態の一態様に係る無線通信システムにおいて、時間領域の長さの表現のために時間単位（タイムユニット）Ｔｃが用いられる。時間単位Ｔｃは、Ｔｃ＝１／（Δｆｍａｘ・Ｎｆ）で与えられてもよい。Δｆｍａｘは、本実施形態の一態様に係る無線通信システムにおいてサポートされるサブキャリア間隔の最大値であってもよい。Δｆｍａｘは、Δｆｍａｘ＝４８０ｋＨｚであってもよい。Ｎｆは、Ｎｆ＝４０９６であってもよい。定数κは、κ＝Δｆｍａｘ・Ｎｆ／（ΔｆｒｅｆＮｆ，ｒｅｆ）＝６４である。Δｆｒｅｆは、１５ｋＨｚであってもよい。Ｎｆ，ｒｅｆは、２０４８であってもよい。
【００２２】
定数κは、参照サブキャリア間隔とＴｃの関係を示す値であってもよい。定数κはサブフレームの長さのために用いられてもよい。定数κに少なくとも基づき、サブフレームに含まれるスロットの数が与えられてもよい。Δｆｒｅｆは、参照サブキャリア間隔であり、Ｎｆ，ｒｅｆは、参照サブキャリア間隔に対応する値である。
【００２３】
下りリンクにおける送信、および／または、上りリンクにおける送信は、１０ｍｓのフレームにより構成される。フレームは、１０個のサブフレームを含んで構成される。サブフレームの長さは１ｍｓである。フレームの長さは、サブキャリア間隔Δｆに関わらず与えられてもよい。つまり、フレームの設定はμに関わらず与えられてもよい。サブフレームの長さは、サブキャリア間隔Δｆに関わらず与えられてもよい。つまり、サブフレームの設定はμに関わらず与えられてもよい。
【００２４】
あるサブキャリア間隔の設定μのために、サブフレームに含まれるスロットの数とインデックスが与えられてもよい。例えば、第１のスロット番号ｎμｓは、サブフレーム内において０からＮｓｕｂｆｒａｍｅ，μｓｌｏｔ−１の範囲で昇順に与えられてもよい。サブキャリア間隔の設定μのために、フレームに含まれるスロットの数とインデックスが与えられてもよい。例えば、第２のスロット番号ｎμｓ，ｆは、フレーム内において０からＮｆｒａｍｅ，μｓｌｏｔ−１の範囲で昇順に与えられてもよい。連続するＮｓｌｏｔｓｙｍｂ個のＯＦＤＭシンボルが１つのスロットに含まれてもよい。Ｎｓｌｏｔｓｙｍｂは、スロット設定（slot configuration）、および／または、ＣＰ（Cyclic Prefix）設定
の一部または全部に少なくとも基づき与えられてもよい。スロット設定は、上位層のパラメータｓｌｏｔ＿ｃｏｎｆｉｇｕｒａｔｉｏｎにより与えられてもよい。ＣＰ設定は、上位層のパラメータに少なくとも基づき与えられてもよい。ＣＰ設定は、専用ＲＲＣシグナリングに少なくとも基づき与えられてもよい。第１のスロット番号および第２のスロット番号は、スロット番号（スロットインデックス）とも呼称される。
【００２５】
図２は、本実施形態の一態様に係るＮｓｌｏｔｓｙｍｂ、サブキャリア間隔の設定μ、スロット設定、および、ＣＰ設定の関係を示す一例である。図２Ａにおいて、スロット設定が０であり、サブキャリア間隔の設定μが２であり、ＣＰ設定がノーマルＣＰ（normal
cyclic prefix）である場合、Ｎｓｌｏｔｓｙｍｂ＝１４、Ｎｆｒａｍｅ，μｓｌｏｔ＝４０、Ｎｓｕｂｆｒａｍｅ，μｓｌｏｔ＝４である。また、図２Ｂにおいて、スロット設定が０であり、サブキャリア間隔の設定μが２であり、ＣＰ設定が拡張ＣＰ（extended cyclic prefix）である場合、Ｎｓｌｏｔｓｙｍｂ＝１２、Ｎｆｒａｍｅ，μｓｌｏｔ＝４０、Ｎｓｕｂｆｒａｍｅ，μｓｌｏｔ＝４である。スロット設定０におけるＮｓｌｏｔｓｙｍｂは、スロット設定１におけるＮｓｌｏｔｓｙｍｂの２倍に対応してもよい。
【００２６】
以下、物理リソースについて説明を行う。
【００２７】
アンテナポートは、１つのアンテナポートにおいてシンボルが伝達されるチャネルが、同一のアンテナポートにおいてその他のシンボルが伝達されるチャネルから推定できることによって定義される。１つのアンテナポートにおいてシンボルが伝達されるチャネルの大規模特性（large scale property）が、もう一つのアンテナポートにおいてシンボルが伝達されるチャネルから推定できる場合、２つのアンテナポートはＱＣＬ（Quasi Co-Located）であると呼称される。大規模特性は、チャネルの長区間特性を少なくとも含んでもよい。大規模特性は、遅延拡がり（delay spread）、ドップラー拡がり（Doppler spread）、ドップラーシフト（Doppler shift）、平均利得（average gain）、平均遅延（average delay）、および、ビームパラメータ（spatial Rx parameters）の一部または全部を
少なくとも含んでもよい。第１のアンテナポートと第２のアンテナポートがビームパラメータに関してＱＣＬであるとは、第１のアンテナポートに対して受信側が想定する受信ビームと第２のアンテナポートに対して受信側が想定する受信ビームとが同一であることであってもよい。第１のアンテナポートと第２のアンテナポートがビームパラメータに関してＱＣＬであるとは、第１のアンテナポートに対して受信側が想定する送信ビームと第２のアンテナポートに対して受信側が想定する送信ビームとが同一であることであってもよい。端末装置１は、１つのアンテナポートにおいてシンボルが伝達されるチャネルの大規模特性が、もう一つのアンテナポートにおいてシンボルが伝達されるチャネルから推定できる場合、２つのアンテナポートはＱＣＬであることが想定されてもよい。２つのアンテナポートがＱＣＬであることは、２つのアンテナポートがＱＣＬであることが想定されることであってもよい。
【００２８】
サブキャリア間隔の設定とキャリアのセットのそれぞれのために、ＮμＲＢ，ｘＮＲＢｓｃ個のサブキャリアとＮ（μ）ｓｙｍｂＮｓｕｂｆｒａｍｅ，μｓｙｍｂ個のＯＦＤＭシンボルのリソースグリッドが与えられる。ＮμＲＢ，ｘは、キャリアｘのためのサブキャリア間隔の設定μのために与えられるリソースブロック数を示してもよい。ＮμＲＢ，ｘは、キャリアｘのためのサブキャリア間隔の設定μのために与えられるリソースブロックの最大数であってもよい。キャリアｘは下りリンクキャリアまたは上りリンクキャリアのいずれかを示す。つまり、ｘは“ＤＬ”、または、“ＵＬ”である。ＮμＲＢは、ＮμＲＢ，ＤＬ、および／または、ＮμＲＢ，ＵＬを含んだ呼称である。ＮＲＢｓｃは、１つのリソースブロックに含まれるサブキャリア数を示してもよい。アンテナポートｐごとに、および／または、サブキャリア間隔の設定μごとに、および／または、送信方向（Transmission direction）の設定ごとに少なくとも１つのリソースグリッドが与えられてもよい。送信方向は、少なくとも下りリンク（DL: DownLink）および上りリンク（UL: UpLink）を含む。以下、アンテナポートｐ、サブキャリア間隔の設定μ、および、送信方向の設定の一部または全部を少なくとも含むパラメータのセットは、第１の無線パラメータセットとも呼称される。つまり、リソースグリッドは、第１の無線パラメータセットごとに１つ与えられてもよい。
【００２９】
下りリンクにおいて、サービングセルに含まれるキャリアを下りリンクキャリア（または、下りリンクコンポーネントキャリア）と称する。上りリンクにおいて、サービングセルに含まれるキャリアを上りリンクキャリア（上りリンクコンポーネントキャリア）と称する。下りリンクコンポーネントキャリア、および、上りリンクコンポーネントキャリアを総称して、コンポーネントキャリア（または、キャリア）と称する。
【００３０】
第１の無線パラメータセットごとに与えられるリソースグリッドの中の各要素は、リソースエレメントと呼称される。リソースエレメントは周波数領域のインデックスｋｓｃと、時間領域のインデックスｌｓｙｍにより特定される。ある第１の無線パラメータセットのために、リソースエレメントは周波数領域のインデックスｋｓｃと、時間領域のインデックスｌｓｙｍにより特定される。周波数領域のインデックスｋｓｃと時間領域のインデ
ックスｌｓｙｍにより特定されるリソースエレメントは、リソースエレメント（ｋｓｃ、ｌｓｙｍ）とも呼称される。周波数領域のインデックスｋｓｃは、０からＮμＲＢＮＲＢｓｃ−１のいずれかの値を示す。ＮμＲＢはサブキャリア間隔の設定μのために与えられるリソースブロック数であってもよい。ＮＲＢｓｃは、リソースブロックに含まれるサブキャリア数であり、ＮＲＢｓｃ＝１２である。周波数領域のインデックスｋｓｃは、サブキャリアインデックスｋｓｃに対応してもよい。時間領域のインデックスｌｓｙｍは、ＯＦＤＭシンボルインデックスｌｓｙｍに対応してもよい。
【００３１】
図３は、本実施形態の一態様に係るサブフレームにおけるリソースグリッドの一例を示す概略図である。図３のリソースグリッドにおいて、横軸は時間領域のインデックスｌｓｙｍであり、縦軸は周波数領域のインデックスｋｓｃである。１つのサブフレームにおいて、リソースグリッドの周波数領域はＮμＲＢＮＲＢｓｃ個のサブキャリアを含む。１つのサブフレームにおいて、リソースグリッドの時間領域は１４・２μ個のＯＦＤＭシンボルを含んでもよい。１つのリソースブロックは、ＮＲＢｓｃ個のサブキャリアを含んで構成される。リソースブロックの時間領域は、１ＯＦＤＭシンボルに対応してもよい。リソースブロックの時間領域は、１４ＯＦＤＭシンボルに対応してもよい。リソースブロックの時間領域は、１または複数のスロットに対応してもよい。リソースブロックの時間領域は、１つのサブフレームに対応してもよい。
【００３２】
端末装置１は、リソースグリッドのサブセットのみを用いて送受信を行うことが指示されてもよい。リソースグリッドのサブセットは、ＢＷＰとも呼称され、ＢＷＰは上位層のパラメータ、および／または、ＤＣＩの一部または全部に少なくとも基づき与えられてもよい。ＢＷＰをバンドパートとも称する（BP: bandwidth part）。つまり、端末装置１は、リソースグリッドのすべてのセットを用いて送受信を行なうことが指示されなくてもよい。つまり、端末装置１は、リソースグリッド内の一部の周波数リソースを用いて送受信を行なうことが指示されてもよい。１つのＢＷＰは、周波数領域における複数のリソースブロックから構成されてもよい。１つのＢＷＰは、周波数領域において連続する複数のリソースブロックから構成されてもよい。ＢＷＰは、ＢＷＰ（BandWidth Part）とも呼称される。下りリンクキャリアに対して設定されるＢＷＰは、下りリンクＢＷＰとも呼称される。上りリンクキャリアに対して設定されるＢＷＰは、上りリンクＢＷＰとも呼称される。
【００３３】
端末装置１に対して、１または複数の下りリンクＢＷＰが設定されてもよい。端末装置１は、１または複数の下りリンクＢＷＰのうちの１つの下りリンクＢＷＰにおいて物理チャネル（例えば、ＰＤＣＣＨ、ＰＤＳＣＨ、ＳＳ／ＰＢＣＨ等）の受信を試みてもよい。該１つの下りリンクＢＷＰは、活性化下りリンクＢＷＰとも呼称される。
【００３４】
端末装置１に対して、１または複数の上りリンクＢＷＰが設定されてもよい。端末装置１は、１または複数の上りリンクＢＷＰのうちの１つの上りリンクＢＷＰにおいて物理チャネル（例えば、ＰＵＣＣＨ、ＰＵＳＣＨ、ＰＲＡＣＨ等）の送信を試みてもよい。該１つの上りリンクＢＷＰは、活性化上りリンクＢＷＰとも呼称される。
【００３５】
サービングセルのそれぞれに対して下りリンクＢＷＰのセットが設定されてもよい。下りリンクＢＷＰのセットは１または複数の下りリンクＢＷＰを含んでもよい。サービングセルのそれぞれに対して上りリンクＢＷＰのセットが設定されてもよい。上りリンクＢＷＰのセットは１または複数の上りリンクＢＷＰを含んでもよい。
【００３６】
上位層のパラメータは、上位層の信号に含まれるパラメータである。上位層の信号は、ＲＲＣ（Radio Resource Control）シグナリングであってもよいし、ＭＡＣ  ＣＥ（Medium Access Control Control Element）であってもよい。ここで、上位層の信号は、ＲＲ
Ｃ層の信号であってもよいし、ＭＡＣ層の信号であってもよい。
【００３７】
上位層の信号は、共通ＲＲＣシグナリング（common RRC signaling）であってもよい。共通ＲＲＣシグナリングは、以下の特徴Ｃ１から特徴Ｃ３の一部または全部を少なくとも備えてもよい。
特徴Ｃ１）ＢＣＣＨロジカルチャネル、または、ＣＣＣＨロジカルチャネルにマップされる
特徴Ｃ２）ｒａｄｉｏＲｅｓｏｕｒｃｅＣｏｎｆｉｇＣｏｍｍｏｎ情報要素を少なくとも含む
特徴Ｃ３）ＰＢＣＨにマップされる
【００３８】
ｒａｄｉｏＲｅｓｏｕｒｃｅＣｏｎｆｉｇＣｏｍｍｏｎ情報要素は、サービングセルにおいて共通に用いられる設定を示す情報を含んでもよい。サービングセルにおいて共通に用いられる設定は、ＰＲＡＣＨの設定を少なくとも含んでもよい。該ＰＲＡＣＨの設定は、１または複数のランダムアクセスプリアンブルインデックスを少なくとも示してもよい。該ＰＲＡＣＨの設定は、ＰＲＡＣＨの時間／周波数リソースを少なくとも示してもよい。
【００３９】
上位層の信号は、専用ＲＲＣシグナリング（dedicated RRC signaling）であってもよ
い。専用ＲＲＣシグナリングは、以下の特徴Ｄ１からＤ２の一部または全部を少なくとも備えてもよい。
特徴Ｄ１）ＤＣＣＨロジカルチャネルにマップされる
特徴Ｄ２）ｒａｄｉｏＲｅｓｏｕｒｃｅＣｏｎｆｉｇＤｅｄｉｃａｔｅｄ情報要素を少なくとも含む
【００４０】
ｒａｄｉｏＲｅｓｏｕｒｃｅＣｏｎｆｉｇＤｅｄｉｃａｔｅｄ情報要素は、端末装置１に固有の設定を示す情報を少なくとも含んでもよい。ｒａｄｉｏＲｅｓｏｕｒｃｅＣｏｎｆｉｇＤｅｄｉｃａｔｅｄ情報要素は、ＢＷＰの設定を示す情報を少なくとも含んでもよい。該ＢＷＰの設定は、該ＢＷＰの周波数リソースを少なくとも示してもよい。
【００４１】
例えば、ＭＩＢ、第１のシステム情報、および、第２のシステム情報は共通ＲＲＣシグナリングに含まれてもよい。また、ＤＣＣＨロジカルチャネルにマップされ、かつ、ｒａｄｉｏＲｅｓｏｕｒｃｅＣｏｎｆｉｇＣｏｍｍｏｎを少なくとも含む上位層のメッセージは、共通ＲＲＣシグナリングに含まれてもよい。また、ＤＣＣＨロジカルチャネルにマップされ、かつ、ｒａｄｉｏＲｅｓｏｕｒｃｅＣｏｎｆｉｇＣｏｍｍｏｎ情報要素を含まない上位層のメッセージは、専用ＲＲＣシグナリングに含まれてもよい。また、ＤＣＣＨロジカルチャネルにマップされ、かつ、ｒａｄｉｏＲｅｓｏｕｒｃｅＣｏｎｆｉｇＤｅｄｉｃａｔｅｄ情報要素を少なくとも含む上位層のメッセージは、専用ＲＲＣシグナリングに含まれてもよい。
【００４２】
第１のシステム情報は、ＳＳ（Synchronization Signal）ブロックの時間インデックスを少なくとも示してもよい。ＳＳブロック（SS block）は、ＳＳ／ＰＢＣＨブロック（SS/PBCH block）とも呼称される。ＳＳ／ＰＢＣＨブロックは、ＳＳ／ＰＢＣＨとも呼称さ
れる。第１のシステム情報は、ＰＲＡＣＨリソースに関連する情報を少なくとも含んでもよい。第１のシステム情報は、初期接続の設定に関連する情報を少なくとも含んでもよい。第２のシステム情報は、第１のシステム情報以外のシステム情報であってもよい。
【００４３】
ｒａｄｉｏＲｅｓｏｕｒｃｅＣｏｎｆｉｇＤｅｄｉｃａｔｅｄ情報要素は、ＰＲＡＣＨリソースに関連する情報を少なくとも含んでもよい。ｒａｄｉｏＲｅｓｏｕｒｃｅＣｏｎｆｉｇＤｅｄｉｃａｔｅｄ情報要素は、初期接続の設定に関連する情報を少なくとも含ん
でもよい。
【００４４】
以下、本実施形態の種々の態様に係る物理チャネルおよび物理シグナルを説明する。
【００４５】
上りリンク物理チャネルは、上位層において発生する情報を運ぶリソースエレメントのセットに対応してもよい。上りリンク物理チャネルは、上りリンクキャリアにおいて用いられる物理チャネルである。本実施形態の一態様に係る無線通信システムにおいて、少なくとも下記の一部または全部の上りリンク物理チャネルが用いられる。
・ＰＵＣＣＨ（Physical Uplink Control CHannel）
・ＰＵＳＣＨ（Physical Uplink Shared CHannel）
・ＰＲＡＣＨ（Physical Random Access CHannel）
【００４６】
ＰＵＣＣＨは、上りリンク制御情報（UCI:Uplink Control Information）を送信するために用いられてもよい。上りリンク制御情報は、チャネル状態情報（CSI:Channel State Information）、スケジューリングリクエスト（SR:Scheduling Request）、トランスポートブロック（TB:Transport block， MAC PDU:Medium Access Control Protocol Data Unit， DL-SCH:Downlink-Shared Channel， PDSCH:Physical Downlink Shared Channel）に
対応するＨＡＲＱ−ＡＣＫ（Hybrid Automatic Repeat request ACKnowledgement）の一
部または全部を含む。
【００４７】
ＨＡＲＱ−ＡＣＫは、１つのトランスポートブロックに少なくとも対応するＨＡＲＱ−ＡＣＫビットを少なくとも含んでもよい。ＨＡＲＱ−ＡＣＫビットは、１または複数のトランスポートブロックに対応するＡＣＫ（acknowledgement）またはＮＡＣＫ（negative-acknowledgement）を示してもよい。ＨＡＲＱ−ＡＣＫは、１または複数のＨＡＲＱ−Ａ
ＣＫビットを含むＨＡＲＱ−ＡＣＫコードブックを少なくとも含んでもよい。ＨＡＲＱ−ＡＣＫビットが１または複数のトランスポートブロックに対応することは、ＨＡＲＱ−ＡＣＫビットが該１または複数のトランスポートブロックを含むＰＤＳＣＨに対応することであってもよい。
【００４８】
ＨＡＲＱ−ＡＣＫビットは、トランスポートブロックに含まれる１つのＣＢＧ（Code Block Group）に対応するＡＣＫまたはＮＡＣＫを示してもよい。ＨＡＲＱ−ＡＣＫは、ＨＡＲＱフィードバック、ＨＡＲＱ情報、ＨＡＲＱ制御情報とも呼称される。
【００４９】
スケジューリングリクエスト（SR: Scheduling Request）は、初期送信のためのＰＵＳＣＨのリソースを要求するために少なくとも用いられてもよい。スケジューリングリクエストビットは、正のＳＲ（positive SR）または、負のＳＲ（negative SR）のいずれかを示すために用いられてもよい。スケジューリングリクエストビットが正のＳＲを示すことは、“正のＳＲが送信される”とも呼称される。正のＳＲは、端末装置１によって初期送信のためのＰＵＳＣＨのリソースが要求されることを示してもよい。正のＳＲは、上位層によりスケジューリングリクエストがトリガされることを示してもよい。正のＳＲは、上位層によりスケジューリングリクエストを送信することが指示された場合に、送信されてもよい。スケジューリングリクエストビットが負のＳＲを示すことは、“負のＳＲが送信される”とも呼称される。負のＳＲは、端末装置１によって初期送信のためのＰＵＳＣＨのリソースが要求されないことを示してもよい。負のＳＲは、上位層によりスケジューリングリクエストがトリガされないことを示してもよい。負のＳＲは、上位層によりスケジューリングリクエストを送信することが指示されない場合に、送信されてもよい。
【００５０】
スケジューリングリクエストビットは、１または複数のＳＲ設定（SR configuration）のいずれかに対する正のＳＲ、または、負のＳＲのいずれかを示すために用いられてもよい。該１または複数のＳＲ設定のそれぞれは、１または複数のロジカルチャネルに対応し
てもよい。あるＳＲ設定に対する正のＳＲは、該あるＳＲ設定に対応する１または複数のロジカルチャネルのいずれかまたは全部に対する正のＳＲであってもよい。負のＳＲは、特定のＳＲ設定に対応しなくてもよい。負のＳＲが示されることは、全てのＳＲ設定に対して負のＳＲが示されることであってもよい。
【００５１】
ＳＲ設定は、スケジューリングリクエストＩＤ（Scheduling Request ID）であっても
よい。
【００５２】
チャネル状態情報は、チャネル品質指標（CQI: Channel Quality Indicator）、プレコーダ行列指標（PMI:Precoder Matrix Indicator）、および、ランク指標（RI: Rank Indicator）の一部または全部を少なくとも含んでもよい。ＣＱＩは、チャネルの品質（例え
ば、伝搬強度）に関連する指標であり、ＰＭＩは、プレコーダを指示する指標である。ＲＩは、送信ランク（または、送信レイヤ数）を指示する指標である。
【００５３】
ＰＵＣＣＨは、ＰＵＣＣＨフォーマット（ＰＵＣＣＨフォーマット０からＰＵＣＣＨフォーマット４）をサポートする。ＰＵＣＣＨフォーマットは、ＰＵＣＣＨにマップされて送信されてもよい。ＰＵＣＣＨフォーマットは、ＰＵＣＣＨで送信されてもよい。ＰＵＣＣＨフォーマットが送信されることは、ＰＵＣＣＨが送信されることであってもよい。
【００５４】
図４は、本実施形態の一態様に係るＰＵＣＣＨフォーマットとＰＵＣＣＨフォーマットの長さＮＰＵＣＣＨｓｙｍｂおよびＮＵＣＩ０の関係の一例を示す図である。ＰＵＣＣＨフォーマット０の長さＮＰＵＣＣＨｓｙｍｂは、１または２ＯＦＤＭシンボルであり、ＰＵＣＣＨフォーマット０に関連するＮＵＣＩ０の値は２以下である。ＰＵＣＣＨフォーマット１の長さＮＰＵＣＣＨｓｙｍｂは、４から１４ＯＦＤＭシンボルであり、ＰＵＣＣＨフォーマット１に関連するＮＵＣＩ０の値は２以下である。ＰＵＣＣＨフォーマット２の長さＮＰＵＣＣＨｓｙｍｂは、１または２ＯＦＤＭシンボルであり、ＰＵＣＣＨフォーマット２に関連するＮＵＣＩ０の値は２より大きい。ＰＵＣＣＨフォーマット３の長さＮＰＵＣＣＨｓｙｍｂは、４から１４ＯＦＤＭシンボルであり、ＰＵＣＣＨフォーマット３に関連するＮＵＣＩ０の値は２より大きい。ＰＵＣＣＨフォーマット４の長さＮＰＵＣＣＨｓｙｍｂは、４から１４ＯＦＤＭシンボルであり、ＰＵＣＣＨフォーマット４に関連するＮＵＣＩ０の値は２より大きい。ＮＵＣＩ０は、ＰＵＣＣＨフォーマットで送信されるＯＡＣＫに少なくとも基づき与えられてもよい。ＮＵＣＩ０は、スケジューリングリクエストビットの数ＯＳＲに関わらず与えられてもよい。
【００５５】
ＰＵＳＣＨは、トランスポートブロック（TB， MAC PDU， UL-SCH， PUSCH）を送信す
るために少なくとも用いられる。ＰＵＳＣＨは、トランスポートブロック、ＨＡＲＱ−ＡＣＫ、チャネル状態情報、および、スケジューリングリクエストの一部または全部を少なくとも送信するために用いられてもよい。ＰＵＳＣＨは、ランダムアクセスメッセージ３を送信するために少なくとも用いられる。
【００５６】
ＰＲＡＣＨは、ランダムアクセスプリアンブル（ランダムアクセスメッセージ１）を送信するために少なくとも用いられる。ＰＲＡＣＨは、初期コネクション確立（initial connection establishment）プロシージャ、ハンドオーバプロシージャ、コネクション再確立（connection re-establishment）プロシージャ、ＰＵＳＣＨの送信に対する同期（タ
イミング調整）、およびＰＵＳＣＨのためのリソースの要求の一部または全部を示すために少なくとも用いられてもよい。ランダムアクセスプリアンブルは、端末装置１の上位層より与えられるインデックス（ランダムアクセスプリアンブルインデックス）を基地局装置３に通知するために用いられてもよい。
【００５７】
ランダムアクセスプリアンブルは、物理ルートシーケンスインデックスｕに対応するＺ
ａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成されてもよい。１つのサービングセル（serving cell）において、複数のランダムアクセスプリアンブルが定義されてもよい。ランダムアクセスプリアンブルは、ランダムアクセスプリアンブルのインデックスに少なくとも基づき特定されてもよい。ランダムアクセスプリアンブルの異なるインデックスに対応する異なるランダムアクセスプリアンブルは、物理ルートシーケンスインデックスｕとサイクリックシフトの異なる組み合わせに対応してもよい。物理ルートシーケンスインデックスｕ、および、サイクリックシフトは、システム情報に含まれる情報に少なくとも基づいて与えられてもよい。物理ルートシーケンスインデックスｕは、ランダムアクセスプリアンブルに含まれる系列を識別するインデックスであってもよい。ランダムアクセスプリアンブルは、物理ルートシーケンスインデックスｕに少なくとも基づき特定されてもよい。
【００５８】
図１において、上りリンクの無線通信では、以下の上りリンク物理シグナルが用いられる。上りリンク物理シグナルは、上位層から出力された情報を送信するために使用されなくてもよいが、物理層によって使用される。
・ＵＬ  ＤＭＲＳ（UpLink Demodulation Reference Signal）
・ＳＲＳ（Sounding Reference Signal）
・ＵＬ  ＰＴＲＳ（UpLink Phase Tracking Reference Signal）
【００５９】
ＵＬ  ＤＭＲＳは、ＰＵＳＣＨ、および／または、ＰＵＣＣＨの送信に関連する。ＵＬ
ＤＭＲＳは、ＰＵＳＣＨまたはＰＵＣＣＨと多重される。基地局装置３は、ＰＵＳＣＨまたはＰＵＣＣＨの伝搬路補正を行なうためにＵＬ  ＤＭＲＳを使用してよい。以下、ＰＵＳＣＨと、該ＰＵＳＣＨに関連するＵＬ  ＤＭＲＳを共に送信することを、単に、ＰＵＳＣＨを送信する、と称する。以下、ＰＵＣＣＨと該ＰＵＣＣＨに関連するＵＬ  ＤＭＲＳを共に送信することを、単に、ＰＵＣＣＨを送信する、と称する。ＰＵＳＣＨに関連するＵＬ  ＤＭＲＳは、ＰＵＳＣＨ用ＵＬ  ＤＭＲＳとも称される。ＰＵＣＣＨに関連するＵＬ  ＤＭＲＳは、ＰＵＣＣＨ用ＵＬ  ＤＭＲＳとも称される。
【００６０】
ＳＲＳは、ＰＵＳＣＨまたはＰＵＣＣＨの送信に関連しなくてもよい。基地局装置３は、チャネル状態の測定のためにＳＲＳを用いてもよい。ＳＲＳは、上りリンクスロットにおけるサブフレームの最後、または、最後から所定数のＯＦＤＭシンボルにおいて送信されてもよい。
【００６１】
ＵＬ  ＰＴＲＳは、位相トラッキングのために少なくとも用いられる参照信号であってもよい。ＵＬ  ＰＴＲＳは、１または複数のＵＬ  ＤＭＲＳに用いられるアンテナポートを少なくとも含むＵＬ  ＤＭＲＳグループに関連してもよい。ＵＬ  ＰＴＲＳとＵＬ  ＤＭＲＳグループが関連することは、ＵＬ  ＰＴＲＳのアンテナポートとＵＬ  ＤＭＲＳグループに含まれるアンテナポートの一部または全部が少なくともＱＣＬであることであってもよい。ＵＬ  ＤＭＲＳグループは、ＵＬ  ＤＭＲＳグループに含まれるＵＬ  ＤＭＲＳにおいて最も小さいインデックスのアンテナポートに少なくとも基づき識別されてもよい。ＵＬ  ＰＴＲＳは、１つのコードワードがマップされる１または複数のアンテナポートにおいて、最もインデックスの小さいアンテナポートにマップされてもよい。ＵＬ  ＰＴＲＳは、１つのコードワードが第１のレイヤ及び第２のレイヤに少なくともマップされる場合に、該第１のレイヤにマップされてもよい。ＵＬ  ＰＴＲＳは、該第２のレイヤにマップされなくてもよい。ＵＬ  ＰＴＲＳがマップされるアンテナポートのインデックスは、下りリンク制御情報に少なくとも基づき与えられてもよい。
【００６２】
図１において、基地局装置３から端末装置１への下りリンクの無線通信では、以下の下りリンク物理チャネルが用いられる。下りリンク物理チャネルは、上位層から出力された
情報を送信するために、物理層によって使用される。
・ＰＢＣＨ（Physical Broadcast Channel）
・ＰＤＣＣＨ（Physical Downlink Control Channel）
・ＰＤＳＣＨ（Physical Downlink Shared Channel）
【００６３】
ＰＢＣＨは、マスターインフォメーションブロック（MIB:Master Information Block，
BCH， Broadcast Channel）を送信するために少なくとも用いられる。ＰＢＣＨは、所定の送信間隔に基づき送信されてもよい。ＰＢＣＨは、８０ｍｓの間隔で送信されてもよい。ＰＢＣＨは、１６０ｍｓの間隔で送信されてもよい。ＰＢＣＨに含まれる情報の中身は、８０ｍｓごとに更新されてもよい。ＰＢＣＨに含まれる情報の一部または全部は、１６０ｍｓごとに更新されてもよい。ＰＢＣＨは、２８８サブキャリアにより構成されてもよい。ＰＢＣＨは、２、３、または、４つのＯＦＤＭシンボルを含んで構成されてもよい。ＭＩＢは、同期信号の識別子（インデックス）に関連する情報を含んでもよい。ＭＩＢは、ＰＢＣＨが送信されるスロットの番号、サブフレームの番号、および／または、無線フレームの番号の少なくとも一部を指示する情報を含んでもよい。
【００６４】
ＰＤＣＣＨは、下りリンク制御情報（DCI:Downlink Control Information）の送信のために少なくとも用いられる。ＰＤＣＣＨは、下りリンク制御情報を少なくとも含んで送信されてもよい。ＰＤＣＣＨは下りリンク制御情報を含んでもよい。下りリンク制御情報は、ＤＣＩフォーマットとも呼称される。下りリンク制御情報は、下りリンクグラント（downlink grant）または上りリンクグラント（uplink grant）のいずれかを少なくとも含んでもよい。ＰＤＳＣＨのスケジューリングのために用いられるＤＣＩフォーマットは、下りリンクＤＣＩフォーマットとも呼称される。ＰＵＳＣＨのスケジューリングのために用いられるＤＣＩフォーマットは、上りリンクＤＣＩフォーマットとも呼称される。下りリンクグラントは、下りリンクアサインメント（downlink assignment）または下りリンク
割り当て（downlink allocation）とも呼称される。上りリンクＤＣＩフォーマットは、
第１の上りリンクＤＣＩフォーマットおよび第２の上りリンクＤＣＩフォーマットの一方または両方を少なくとも含む。
【００６５】
第１の上りリンクＤＣＩフォーマットは、１Ａから１Ｆの一部または全部を少なくとも含んで構成される。
１Ａ）ＤＣＩフォーマット特定フィールド（Identifier for DCI formats field）
１Ｂ）周波数領域リソース割り当てフィールド（Frequency domain resource assignment
field）
１Ｃ）時間領域のリソース割り当てフィールド（Time domain resource assignment field）
１Ｄ）周波数ホッピングフラグフィールド（Frequency hopping flag field）
１Ｅ）ＭＣＳフィールド（MCS field: Modulation and Coding Scheme field）
１Ｆ）第１のＣＳＩリスエストフィールド（First CSI request field）
【００６６】
ＤＣＩフォーマット特定フィールドは、該ＤＣＩフォーマット特定フィールドを含むＤＣＩフォーマットが１または複数のＤＣＩフォーマットのいずれに対応するかを示すために少なくとも用いられてもよい。該１または複数のＤＣＩフォーマットは、下りリンクＤＣＩフォーマット、第１の上りリンクＤＣＩフォーマット、および／または、第２のＤＣＩフォーマットの一部または全部に少なくとも基づき与えられてもよい。該１または複数のＤＣＩフォーマットは、下りリンクＤＣＩフォーマット、第１の上りリンクＤＣＩフォーマット、および／または、第２のＤＣＩフォーマットの一部または全部を少なくとも含んでもよい。
【００６７】
周波数領域リソース割り当てフィールドは、該周波数領域リソース割り当てフィールド
を含むＤＣＩフォーマットによりスケジューリングされるＰＵＳＣＨのための周波数リソースの割り当てを示すために少なくとも用いられてもよい。
【００６８】
時間領域のリソース割り当てフィールドは、該時間領域リソース割り当てフィールドを含むＤＣＩフォーマットによりスケジューリングされるＰＵＳＣＨのための時間リソースの割り当てを示すために少なくとも用いられてもよい。
【００６９】
周波数ホッピングフラグフィールドは、該周波数ホッピングフラグフィールドを含むＤＣＩフォーマットによりスケジューリングされるＰＵＳＣＨに対して周波数ホッピングが適用されるか否かを示すために少なくとも用いられてもよい。
【００７０】
ＭＣＳフィールドは、該ＭＣＳフィールドを含むＤＣＩフォーマットによりスケジューリングされるＰＵＳＣＨのための変調方式、および／または、ターゲット符号化率の一部または全部を示すために少なくとも用いられてもよい。該ターゲット符号化率は、該ＰＵＳＣＨのトランスポートブロックのためのターゲット符号化率であってもよい。該トランスポートブロックのサイズ（TBS: Transport Block Size）は、該ターゲット符号化率に
少なくとも基づき与えられてもよい。
【００７１】
第１のＣＳＩリクエストフィールドは、ＣＳＩの報告を指示するために少なくとも用いられる。第１のＣＳＩリクエストフィールドのサイズは、所定の値であってもよい。第１のＣＳＩリクエストフィールドのサイズは、０であってもよいし、１であってもよいし、２であってもよいし、３であってもよい。
【００７２】
第２の上りリンクＤＣＩフォーマットは、２Ａから２Ｇの一部または全部を少なくとも含んで構成される。
２Ａ）ＤＣＩフォーマット特定フィールド
２Ｂ）周波数領域リソース割り当てフィールド
２Ｃ）時間領域のリソース割り当てフィールド
２Ｄ）周波数ホッピングフラグフィールド
２Ｅ）ＭＣＳフィールド
２Ｆ）第２のＣＳＩリクエストフィールド（Second CSI request field）
２Ｇ）ＢＷＰフィールド（BWP field）
【００７３】
ＢＷＰフィールドは、第２の上りリンクＤＣＩフォーマットによりスケジューリングされるＰＵＳＣＨがマップされる上りリンクＢＷＰを指示するために用いられてもよい。
【００７４】
第２のＣＳＩリクエストフィールドは、ＣＳＩの報告を指示するために少なくとも用いられる。第２のＣＳＩリクエストフィールドのサイズは、上位層のパラメータＲｅｐｏｒｔＴｒｉｇｇｅｒＳｉｚｅに少なくとも基づき与えられてもよい。
【００７５】
下りリンクＤＣＩフォーマットは、第１の下りリンクＤＣＩフォーマットと第２の下りリンクＤＣＩフォーマットの一方または両方を含む。
【００７６】
第１の下りリンクＤＣＩフォーマットは、３Ａから３Ｈの一部または全部を少なくとも含んで構成される。
３Ａ）ＤＣＩフォーマット特定フィールド（Identifier for DCI formats field）
３Ｂ）周波数領域のリソース割り当てフィールド（Frequency domain resource assignment field）
３Ｃ）時間領域のリソース割り当てフィールド（Time domain resource assignment field）
３Ｄ）周波数ホッピングフラグフィールド（Frequency hopping flag field）
３Ｅ）ＭＣＳフィールド（MCS field: Modulation and Coding Scheme field）
３Ｆ）第１のＣＳＩリスエストフィールド（First CSI request field）
３Ｇ）ＰＤＳＣＨからＨＡＲＱフィードバックへのタイミング指示フィールド（PDSCH to
HARQ feedback timing indicator field）
３Ｈ）ＰＵＣＣＨリソース指示フィールド（PUCCH resource indicator field）
【００７７】
ＰＤＳＣＨからＨＡＲＱフィードバックへのタイミング指示フィールドは、タイミングＫ１を示すフィールドであってもよい。ＰＤＳＣＨの最後のＯＦＤＭシンボルが含まれるスロットのインデックスがスロットｎである場合、該ＰＤＳＣＨに含まれるトランスポートブロックに対応するＨＡＲＱ−ＡＣＫを少なくとも含むＰＵＣＣＨまたはＰＵＳＣＨが含まれるスロットのインデックスはｎ＋Ｋ１であってもよい。ＰＤＳＣＨの最後のＯＦＤＭシンボルが含まれるスロットのインデックスがスロットｎである場合、該ＰＤＳＣＨに含まれるトランスポートブロックに対応するＨＡＲＱ−ＡＣＫを少なくとも含むＰＵＣＣＨの先頭のＯＦＤＭシンボルまたはＰＵＳＣＨの先頭のＯＦＤＭシンボルが含まれるスロットのインデックスはｎ＋Ｋ１であってもよい。
【００７８】
ＰＵＣＣＨリソース指示フィールドは、ＰＵＣＣＨリソースセットに含まれる１または複数のＰＵＣＣＨリソースのインデックスを示すフィールドであってもよい。
【００７９】
第２の下りリンクＤＣＩフォーマットは、４Ａから４Ｊの一部または全部を少なくとも含んで構成される。
４Ａ）ＤＣＩフォーマット特定フィールド（Identifier for DCI formats field）
４Ｂ）周波数領域のリソース割り当てフィールド（Frequency domain resource assignment field）
４Ｃ）時間領域のリソース割り当てフィールド（Time domain resource assignment field）
４Ｄ）周波数ホッピングフラグフィールド（Frequency hopping flag field）
４Ｅ）ＭＣＳフィールド（MCS field: Modulation and Coding Scheme field）
４Ｆ）第１のＣＳＩリスエストフィールド（First CSI request field）
４Ｇ）ＰＤＳＣＨからＨＡＲＱフィードバックへのタイミング指示フィールド（PDSCH to
HARQ feedback timing indicator field）
４Ｈ）ＰＵＣＣＨリソース指示フィールド（PUCCH resource indicator field）
４Ｊ）ＢＷＰフィールド（BWP field）
【００８０】
ＢＷＰフィールドは、第２の下りリンクＤＣＩフォーマットによりスケジューリングされるＰＤＳＣＨがマップされる下りリンクＢＷＰを指示するために用いられてもよい。
【００８１】
本実施形態の種々の態様において、特別な記載のない限り、リソースブロックの数は周波数領域におけるリソースブロックの数を示す。
【００８２】
下りリンクグラントは、１つのサービングセル内の１つのＰＤＳＣＨのスケジューリングのために少なくとも用いられる。
【００８３】
上りリンクグラントは、１つのサービングセル内の１つのＰＵＳＣＨのスケジューリングのために少なくとも用いられる。
【００８４】
１つの物理チャネルは、１つのサービングセルにマップされてもよい。１つの物理チャネルは、１つのサービングセルに含まれる１つのキャリアに設定される１つのＢＷＰにマップされてもよい。
【００８５】
端末装置１は、１または複数の制御リソースセット（CORESET:COntrol REsource SET）が設定される。端末装置１は、１または複数の制御リソースセットにおいてＰＤＣＣＨを監視する（monitor）。
【００８６】
制御リソースセットは、１つまたは複数のＰＤＣＣＨがマップされうる時間周波数領域を示してもよい。制御リソースセットは、端末装置１がＰＤＣＣＨを監視する領域であってもよい。制御リソースセットは、連続的なリソース（Localized resource）により構成されてもよい。制御リソースセットは、非連続的なリソース（distributed resource）により構成されてもよい。
【００８７】
周波数領域において、制御リソースセットのマッピングの単位はリソースブロックであってもよい。例えば、周波数領域において、制御リソースセットのマッピングの単位は６リソースブロックであってもよい。時間領域において、制御リソースセットのマッピングの単位はＯＦＤＭシンボルであってもよい。例えば、時間領域において、制御リソースセットのマッピングの単位は１ＯＦＤＭシンボルであってもよい。
【００８８】
制御リソースセットの周波数領域は、上位層の信号、および／または、下りリンク制御情報に少なくとも基づき与えられてもよい。
【００８９】
制御リソースセットの時間領域は、上位層の信号、および／または、下りリンク制御情報に少なくとも基づき与えられてもよい。
【００９０】
ある制御リソースセットは、共通制御リソースセット（Common control resource set
）であってもよい。共通制御リソースセットは、複数の端末装置１に対して共通に設定される制御リソースセットであってもよい。共通制御リソースセットは、ＭＩＢ、第１のシステム情報、第２のシステム情報、共通ＲＲＣシグナリング、および、セルＩＤの一部または全部に少なくとも基づき与えられてもよい。例えば、第１のシステム情報のスケジューリングのために用いられるＰＤＣＣＨをモニタすることが設定される制御リソースセットの時間リソース、および／または、周波数リソースは、ＭＩＢに少なくとも基づき与えられてもよい。
【００９１】
ＭＩＢで設定される制御リソースセットは、ＣＯＲＥＳＥＴ＃０とも呼称される。ＣＯＲＥＳＥＴ＃０は、インデックス＃０の制御リソースセットであってもよい。
【００９２】
ある制御リソースセットは、専用制御リソースセット（Dedicated control resource set）であってもよい。専用制御リソースセットは、端末装置１のために専用に用いられるように設定される制御リソースセットであってもよい。専用制御リソースセットは、専用ＲＲＣシグナリング、および、Ｃ−ＲＮＴＩの値の一部または全部に少なくとも基づき与えられてもよい。
【００９３】
制御リソースセットのリソースブロックへのマッピングは、上位層のパラメータに少なくとも基づき与えられてもよい。該上位層のパラメータは、リソースブロックのグループ（RBG; Resource Block Group）に対するビットマップを含んでもよい。該リソースブロ
ックのグループは、６つの連続するリソースブロックにより与えられてもよい。
【００９４】
図５は、本実施形態の一態様に係る制御リソースセットのリソースブロックへのマッピングの一例を示す図である。図５において、制御リソースセットのリソースブロックへのマッピングを与える上位層のパラメータＣＯＲＥＳＥＴ＿ＤＥＤＩＣＡＴＥＤにより示されるリソースブロックのグループ（ＲＢＧ＃０、ＲＢＧ＃１、ＲＢＧ＃２、ＲＢＧ＃３）
の集合が与えられている。該リソースブロックのグループの集合がマップされる１または複数のリソースブロックのうちの先頭のリソースブロックのインデックスはＮＣＯＲＥＳＥＴ＿ｂｉｔｍａｐ＿ｓｔａｒｔＲＢと呼称される。該上位層のパラメータＣＯＲＥＳＥＴ＿ＤＥＤＩＣＡＴＥＤに含まれるビットマップのビットのそれぞれは、１つのリソースブロックのグループに対応してもよい。例えば、該ビットマップが‘１０１１’を示す場合、該制御リソースセットは、ＲＢＧ＃０、ＲＢＧ＃２、および、ＲＢＧ＃３によって構成される。
【００９５】
ＮＣＯＲＥＳＥＴ＿ｂｉｔｍａｐ＿ｓｔａｒｔＲＢは、制御リソースセットのリソースブロックへのマッピングを与える上位層のパラメータに対応するリソースブロックのグループの集合のうち、最小のインデックスのリソースブロックのグループ（ＲＢＧ＃０）に含まれる複数のリソースブロックのうちの先頭のリソースブロックのインデックスを示してもよい。ＮＣＯＲＥＳＥＴ＿ｂｉｔｍａｐ＿ｓｔａｒｔＲＢは、制御リソースセットのリソースブロックへのマッピングを与える上位層のパラメータに対応する複数のリソースブロックのうちの先頭のリソースブロックのインデックスを示してもよい。
【００９６】
ＮＣＯＲＥＳＥＴ＿ｓｔａｒｔＲＢは以下の数式１によって与えられてもよい。
【数１】
2019198014.tif 000003
【００９７】
ＮＢＷＰ＿ｓｔａｒｔＲＢは、ＢＷＰの１または複数のリソースブロックのうちの先頭のリソースブロックのインデックスを示す。
【００９８】
ＣＯＲＥＳＥＴ＃０以外の制御リソースセットのリソースブロックへのマッピングは、上位層のパラメータＣＯＲＥＳＥＴ＿ＤＥＤＩＣＡＴＥＤに少なくとも基づき与えられてもよい。
【００９９】
ＣＯＲＥＳＥＴ＃０のリソースブロックへのマッピングは、ＰＢＣＨに含まれるＭＩＢに含まれるパラメータに少なくとも基づき与えられてもよい。
【０１００】
ＣＯＲＥＳＥＴ＃０のリソースブロックへのマッピングは、制御リソースセットのリソースブロックへのマッピングを与える上位層のパラメータＣＯＲＥＳＥＴ＿ＣＯＭＭＯＮに少なくとも基づき与えられてもよい。該上位層のパラメータＣＯＲＥＳＥＴ＿ＣＯＭＭＯＮは、該ＣＯＲＥＳＥＴ＃０がマップされる１または複数のリソースブロックのうちの先頭のリソースブロックのインデックスＮＣＯＲＥＳＥＴ＿ｉｎｉｔ＿ｂｉｔｍａｐ＿ｓｔａｒｔＲＢを示す情報を少なくとも含んでもよい。該上位層のパラメータＣＯＲＥＳＥＴ＿ＣＯＭＭＯＮは、第１のポイント（first point）からＮＣＯＲＥＳＥＴ＿ｉｎｉｔ
＿ｓｔａｒｔＲＢまでの差を示す情報を少なくとも含んでもよい。該上位層のパラメータＣＯＲＥＳＥＴ＿ＣＯＭＭＯＮは、ＮＣＯＲＥＳＥＴ＿ｉｎｉｔ＿ｂｉｔｍａｐ＿ｓｔａｒｔＲＢに対応するチャネル番号（ARFCN: Absolute Radio-Frequency Channel Number）を示す情報を少なくとも含んでもよい。該上位層のパラメータＣＯＲＥＳＥＴ＿ＣＯＭＭＯＮは、ＮＣＯＲＥＳＥＴ＿ｉｎｉｔ＿ｂｉｔｍａｐ＿ｓｔａｒｔＲＢに含まれるリソースブロックのうちの先頭のサブキャリアのチャネル番号（ARFCN: Absolute Radio-Frequency Channel Number）を示す情報を少なくとも含んでもよい。
【０１０１】
ＮＣＯＲＥＳＥＴ＿ｉｎｉｔ＿ｂｉｔｍａｐ＿ｓｔａｒｔＲＢは、制御リソースセットのリソースブロックへのマッピングを与える上位層のパラメータに対応するリソースブロ
ックのグループの集合のうち、最小のインデックスのリソースブロックのグループ（ＲＢＧ＃０）に含まれる複数のリソースブロックのうちの先頭のリソースブロックのインデックスを示してもよい。ＮＣＯＲＥＳＥＴ＿ｉｎｉｔ＿ｂｉｔｍａｐ＿ｓｔａｒｔＲＢは、制御リソースセットのリソースブロックへのマッピングを与える上位層のパラメータに対応する複数のリソースブロックのうちの先頭のリソースブロックのインデックスを示してもよい。共通リソースブロック＃ＮＣＯＲＥＳＥＴ＿ｉｎｉｔ＿ｂｉｔｍａｐ＿ｓｔａｒｔＲＢに含まれる複数のサブキャリアのうちの先頭のインデックスのサブキャリアを示す第１の上位層のパラメータは、上位層のパラメータＣＯＲＥＳＥＴ＿ＣＯＭＭＯＮに含まれてもよい。ＲＢＧ＃０に含まれる複数のサブキャリアのうちの先頭のインデックスのサブキャリアを示す第１の上位層のパラメータは、上位層のパラメータＣＯＲＥＳＥＴ＿ＣＯＭＭＯＮに含まれてもよい。第１の上位層のパラメータはチャネル番号を含んでもよい。
【０１０２】
上位層のパラメータＣＯＲＥＳＥＴ＿ＣＯＭＭＯＮは、リソースブロックのグループに対するビットマップを少なくとも含んでもよい。該上位層のパラメータＣＯＲＥＳＥＴ＿ＣＯＭＭＯＮにより示されるリソースブロックのグループの集合がマップされる１または複数のリソースブロックのうちの先頭のリソースブロックのインデックスＮＣＯＲＥＳＥＴ＿ｉｎｉｔ＿ｂｉｔｍａｐ＿ｓｔａｒｔＲＢは、数式２に少なくとも基づき与えられてもよい。
【数２】
2019198014.tif 000004
【０１０３】
ＸＣＯＲＥＳＥＴ＿ｉｎｉｔは、該上位層のパラメータＣＯＲＥＳＥＴ＿ＣＯＭＭＯＮに少なくとも基づき与えられてもよい。
【０１０４】
ＮＣＯＲＥＳＥＴ＿ｉｎｉｔ＿ｂｉｔｍａｐ＿ｓｔａｒｔＲＢは、ＮＢＷＰ＿ｓｔａｒｔＲＢと等しくてもよい。
【０１０５】
端末装置１によって監視されるＰＤＣＣＨの候補のセットは、探索領域の観点から定義されてもよい。つまり、端末装置１によって監視されるＰＤＣＣＨ候補のセットは、探索領域によって与えられてもよい。
【０１０６】
探索領域は、１または複数の集約レベル（Aggregation level）のＰＤＣＣＨ候補を１
または複数含んで構成されてもよい。ＰＤＣＣＨ候補の集約レベルは、該ＰＤＣＣＨを構成するＣＣＥの個数を示してもよい。
【０１０７】
端末装置１は、ＤＲＸ（Discontinuous reception）が設定されないスロットにおいて
少なくとも１または複数の探索領域を監視してもよい。ＤＲＸは、上位層のパラメータに少なくとも基づき与えられてもよい。端末装置１は、ＤＲＸが設定されないスロットにおいて少なくとも１または複数の探索領域セット（Search space set）を監視してもよい。
【０１０８】
探索領域セットは、１または複数の探索領域を少なくとも含んで構成されてもよい。探索領域セットは、タイプ０ＰＤＣＣＨ共通探索領域、タイプ１ＰＤＣＣＨ共通探索領域、および／または、ＵＥ固有探索領域（USS: UE-specific Search Space）の一部または全
部を少なくとも含んでもよい。タイプ０ＰＤＣＣＨ共通探索領域は、第１の下りリンクＤＣＩフォーマットの監視のために少なくとも設定されてもよい。タイプ１ＰＤＣＣＨ共通探索領域は、第１の下りリンクＤＣＩフォーマットの監視のために少なくとも設定されて
もよい。タイプ０ＰＤＣＣＨ共通探索領域は、第２の上りリンクＤＣＩフォーマットの監視のために設定されなくてもよい。タイプ１ＰＤＣＣＨ共通探索領域は、第２の上りリンクＤＣＩフォーマットの監視のために設定されなくてもよい。ＵＥ固有探索領域は、第１の下りリンクＤＣＩフォーマット、第２の下りリンクＤＣＩフォーマット、第１の上りリンクＤＣＩフォーマット、および／または、第２の上りリンクＤＣＩフォーマットの一部または全部の監視のために少なくとも設定されてもよい。
【０１０９】
タイプ０ＰＤＣＣＨ共通探索領域、および、タイプ１ＰＤＣＣＨ共通探索領域は、共通探索領域（CSS: Common Search Space）とも呼称される。
【０１１０】
探索領域セットのそれぞれは、１つの制御リソースセットに関連してもよい。探索領域セットのそれぞれは、１つの制御リソースセットに含まれてもよい。探索領域セットのそれぞれに対して、該探索領域セットに関連する制御リソースセットのインデックスが与えられてもよい。
【０１１１】
タイプ０ＰＤＣＣＨ共通探索領域は、ＳＩ−ＲＮＴＩ（System Information-Radio Network Temporary Identifier）によってスクランブルされたＣＲＣ（Cyclic Redundancy Check）系列を伴うＤＣＩフォーマットのために少なくとも用いられてもよい。タイプ０ＰＤＣＣＨ共通探索領域に少なくとも関連する制御リソースセットの設定は、上位層パラメータＲＭＳＩ−ＰＤＣＣＨ−Ｃｏｎｆｉｇに少なくとも基づき与えられてもよい。上位層パラメータＲＭＳＩ−ＰＤＣＣＨ−Ｃｏｎｆｉｇは、ＭＩＢに含まれてもよい。上位層パラメータＲＭＳＩ−ＰＤＣＣＨ−Ｃｏｎｆｉｇは、タイプ０ＰＤＣＣＨ共通探索領域に少なくとも関連する制御リソースセットに含まれるリソースブロックの数、該制御リソースセットに含まれるＯＦＤＭシンボルの数の一方または両方を少なくとも示してもよい。上位層パラメータＲＭＳＩ−ＰＤＣＣＨ−ＣｏｎｆｉｇはＭＩＢに含まれる情報フィールドにより示されてもよい。
【０１１２】
タイプ１ＰＤＣＣＨ共通探索領域は、ＲＡ−ＲＮＴＩ（Random Access-Radio Network Temporary Identifier）によってスクランブルされたＣＲＣ系列、ＴＣ−ＲＮＴＩ（Temporary Common-Radio Network Temporary Identifier）によってスクランブルされたＣＲ
Ｃ系列、および／または、Ｃ−ＲＮＴＩ（Common-Radio Network Temporary Identifier
）によってスクランブルされたＣＲＣ系列を伴うＤＣＩフォーマットのために少なくとも用いられてもよい。ＲＡ−ＲＮＴＩは、端末装置１によって送信されるランダムアクセスプリアンブルの時間／周波数リソースに少なくとも基づき与えられてもよい。ＴＣ−ＲＮＴＩは、ＲＡ−ＲＮＴＩによってスクランブルされたＣＲＣ系列を伴うＤＣＩフォーマットによりスケジューリングされるＰＤＳＣＨ（メッセージ２、または、ランダムアクセスレスポンスグラントとも呼称される）により与えられてもよい。Ｃ−ＲＮＴＩは、ＴＣ−ＲＮＴＩによってスクランブルされたＣＲＣ系列を伴うＤＣＩフォーマットによりスケジューリングされるＰＤＳＣＨ（メッセージ４、または、コンテンションレゾリューションとも呼称される）に少なくとも基づき与えられてもよい。
【０１１３】
ＵＥ固有探索領域は、Ｃ−ＲＮＴＩによってスクランブルされたＣＲＣ系列を伴うＤＣＩフォーマットのために少なくとも用いられてもよい。
【０１１４】
共通制御リソースセットは、ＣＳＳおよびＵＳＳの一方または両方を少なくとも含んでもよい。専用制御リソースセットは、ＣＳＳおよびＵＳＳの一方または両方を少なくとも含んでもよい。ある探索領域セットがＣＳＳであるかＵＳＳであるかは、上位層のパラメータに少なくとも基づき与えられてもよい。
【０１１５】
探索領域の物理リソースは制御チャネルの構成単位（CCE:Control Channel Element）
により構成される。ＣＣＥは所定の数のリソース要素グループ（REG:Resource Element Group）により構成される。例えば、ＣＣＥは６個のＲＥＧにより構成されてもよい。ＲＥＧは１つのＰＲＢ（Physical Resource Block）の１ＯＦＤＭシンボルにより構成されて
もよい。つまり、ＲＥＧは１２個のリソースエレメント（RE:Resource Element）を含ん
で構成されてもよい。ＰＲＢは、単にＲＢ（Ｒｅｓｏｕｒｃｅ  Ｂｌｏｃｋ：リソースブロック）とも呼称される。
【０１１６】
ＰＤＳＣＨは、トランスポートブロックを送信するために少なくとも用いられる。ＰＤＳＣＨは、ランダムアクセスメッセージ２（ランダムアクセスレスポンス）を送信するために少なくとも用いられてもよい。ＰＤＳＣＨは、初期アクセスのために用いられるパラメータを含むシステム情報を送信するために少なくとも用いられてもよい。
【０１１７】
図１において、下りリンクの無線通信では、以下の下りリンク物理シグナルが用いられる。下りリンク物理シグナルは、上位層から出力された情報を送信するために使用されなくてもよいが、物理層によって使用される。
・同期信号（SS:Synchronization signal）
・ＤＬ  ＤＭＲＳ（DownLink DeModulation Reference Signal）
・ＣＳＩ−ＲＳ（Channel State Information-Reference Signal）
・ＤＬ  ＰＴＲＳ（DownLink Phase Tracking Reference Signal）
・ＴＲＳ（Tracking Reference Signal）
【０１１８】
同期信号は、端末装置１が下りリンクの周波数領域、および／または、時間領域の同期をとるために用いられる。同期信号は、ＰＳＳ（Primary Synchronization Signal）、および、ＳＳＳ（Secondary Synchronization Signal）を含む。
【０１１９】
ＳＳブロック（ＳＳ／ＰＢＣＨブロック）は、ＰＳＳ、ＳＳＳ、および、ＰＢＣＨの一部または全部を少なくとも含んで構成される。ＳＳブロックに含まれるＰＳＳ、ＳＳＳ、および、ＰＢＣＨの一部または全部のそれぞれのアンテナポートは同一であってもよい。ＳＳブロックに含まれるＰＳＳ、ＳＳＳ、およびＰＢＣＨの一部または全部は、連続するＯＦＤＭシンボルにマップされてもよい。ＳＳブロックに含まれるＰＳＳ、ＳＳＳ、および、ＰＢＣＨの一部または全部のそれぞれのＣＰ設定は同一であってもよい。ＳＳブロックに含まれるＰＳＳ、ＳＳＳ、および、ＰＢＣＨの一部または全部のそれぞれのサブキャリア間隔の設定μは同一であってもよい。
【０１２０】
ＤＬ  ＤＭＲＳは、ＰＢＣＨ、ＰＤＣＣＨ、および／または、ＰＤＳＣＨの送信に関連する。ＤＬ  ＤＭＲＳは、ＰＢＣＨ、ＰＤＣＣＨ、および／または、ＰＤＳＣＨに多重される。端末装置１は、ＰＢＣＨ、ＰＤＣＣＨ、または、ＰＤＳＣＨの伝搬路補正を行なうために該ＰＢＣＨ、該ＰＤＣＣＨ、または、該ＰＤＳＣＨと対応するＤＬ  ＤＭＲＳを使用してよい。以下、ＰＢＣＨと、該ＰＢＣＨと関連するＤＬ  ＤＭＲＳが共に送信されることは、ＰＢＣＨが送信されると呼称される。また、ＰＤＣＣＨと、該ＰＤＣＣＨと関連するＤＬ  ＤＭＲＳが共に送信されることは、単にＰＤＣＣＨが送信されると呼称される。また、ＰＤＳＣＨと、該ＰＤＳＣＨと関連するＤＬ  ＤＭＲＳが共に送信されることは、単にＰＤＳＣＨが送信されると呼称される。ＰＢＣＨと関連するＤＬ  ＤＭＲＳは、ＰＢＣＨ用ＤＬ  ＤＭＲＳとも呼称される。ＰＤＳＣＨと関連するＤＬ  ＤＭＲＳは、ＰＤＳＣＨ用ＤＬ  ＤＭＲＳとも呼称される。ＰＤＣＣＨと関連するＤＬ  ＤＭＲＳは、ＰＤＣＣＨと関連するＤＬ  ＤＭＲＳとも呼称される。
【０１２１】
ＤＬ  ＤＭＲＳは、端末装置１に個別に設定される参照信号であってもよい。ＤＬ  ＤＭＲＳの系列は、端末装置１に個別に設定されるパラメータに少なくとも基づいて与えられてもよい。ＤＬ  ＤＭＲＳの系列は、ＵＥ固有の値（例えば、Ｃ−ＲＮＴＩ等）に少な
くとも基づき与えられてもよい。ＤＬ  ＤＭＲＳは、ＰＤＣＣＨ、および／または、ＰＤＳＣＨのために個別に送信されてもよい。
【０１２２】
ＣＳＩ−ＲＳは、チャネル状態情報を算出するために少なくとも用いられる信号であってもよい。端末装置によって想定されるＣＳＩ−ＲＳのパターンは、少なくとも上位層のパラメータにより与えられてもよい。
【０１２３】
ＰＴＲＳは、位相雑音の補償のために少なくとも用いられる信号であってもよい。端末装置によって想定されるＰＴＲＳのパターンは、上位層のパラメータ、および／または、ＤＣＩに少なくとも基づき与えられてもよい。
【０１２４】
ＤＬ  ＰＴＲＳは、１または複数のＤＬ  ＤＭＲＳに用いられるアンテナポートを少なくとも含むＤＬ  ＤＭＲＳグループに関連してもよい。ＤＬ  ＰＴＲＳとＤＬ  ＤＭＲＳグループが関連することは、ＤＬ  ＰＴＲＳのアンテナポートとＤＬ  ＤＭＲＳグループに含まれるアンテナポートの一部または全部が少なくともＱＣＬであることであってもよい。ＤＬ  ＤＭＲＳグループは、ＤＬ  ＤＭＲＳグループに含まれるＤＬ  ＤＭＲＳにおいて最も小さいインデックスのアンテナポートに少なくとも基づき識別されてもよい。
【０１２５】
ＴＲＳは、時間、および／または、周波数の同期のために少なくとも用いられる信号であってもよい。端末装置によって想定されるＴＲＳのパターンは、上位層のパラメータ、および／または、ＤＣＩに少なくとも基づき与えられてもよい。
【０１２６】
下りリンク物理チャネルおよび下りリンク物理シグナルは、下りリンク信号とも呼称される。上りリンク物理チャネルおよび上りリンク物理シグナルは、上りリンク信号とも呼称される。下りリンク信号および上りリンク信号はまとめて物理信号とも呼称される。下りリンク信号および上りリンク信号はまとめて信号とも呼称される。下りリンク物理チャネルおよび上りリンク物理チャネルを総称して、物理チャネルと称する。下りリンク物理シグナルおよび上りリンク物理シグナルを総称して、物理シグナルと称する。
【０１２７】
ＢＣＨ（Broadcast CHannel）、ＵＬ−ＳＣＨ（Uplink-Shared CHannel）およびＤＬ−ＳＣＨ（Downlink-Shared CHannel）は、トランスポートチャネルである。媒体アクセス
制御（MAC:Medium Access Control）層で用いられるチャネルはトランスポートチャネル
と呼称される。ＭＡＣ層で用いられるトランスポートチャネルの単位は、トランスポートブロック（TB）またはＭＡＣ  ＰＤＵとも呼称される。ＭＡＣ層においてトランスポートブロック毎にＨＡＲＱ（Hybrid Automatic Repeat reQuest）の制御が行なわれる。トラ
ンスポートブロックは、ＭＡＣ層が物理層に渡す（deliver）データの単位である。物理
層において、トランスポートブロックはコードワードにマップされ、コードワード毎に変調処理が行なわれる。
【０１２８】
基地局装置３と端末装置１は、上位層（higher layer）において上位層の信号をやり取り（送受信）する。例えば、基地局装置３と端末装置１は、無線リソース制御（RRC:Radio Resource Control）層において、ＲＲＣシグナリング（RRC message:Radio Resource Control message、RRC information:Radio Resource Control information）を送受信してもよい。また、基地局装置３と端末装置１は、ＭＡＣ層において、ＭＡＣ  ＣＥ（Control Element）を送受信してもよい。ここで、ＲＲＣシグナリング、および／または、ＭＡ
Ｃ  ＣＥを、上位層の信号（higher layer signaling）とも称する。
【０１２９】
ＰＵＳＣＨおよびＰＤＳＣＨは、ＲＲＣシグナリング、および／または、ＭＡＣ  ＣＥを送信するために少なくとも用いられてよい。ここで、基地局装置３よりＰＤＳＣＨで送信されるＲＲＣシグナリングは、サービングセル内における複数の端末装置１に対して共
通のシグナリングであってもよい。サービングセル内における複数の端末装置１に対して共通のシグナリングは、共通ＲＲＣシグナリングとも呼称される。基地局装置３からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のシグナリングは、専用ＲＲＣシグナリングとも呼称される。サービングセルにおいて固有な上位層のパラメータは、サービングセル内における複数の端末装置１に対して共通のシグナリング、または、ある端末装置１に対して専用のシグナリングを用いて送信されてもよい。ＵＥ固有な上位層のパラメータは、ある端末装置１に対して専用のシグナリングを用いて送信されてもよい。
【０１３０】
ＢＣＣＨ（Broadcast Control CHannel）、ＣＣＣＨ（Common Control CHannel）、お
よび、ＤＣＣＨ（Dedicated Control CHannel）は、ロジカルチャネルである。例えば、
ＢＣＣＨは、ＭＩＢを送信するために用いられる上位層のチャネルである。また、ＣＣＣＨ（Common Control CHannel）は、複数の端末装置１において共通な情報を送信するために用いられる上位層のチャネルである。ここで、ＣＣＣＨは、例えば、ＲＲＣ接続されていない端末装置１のために用いられてもよい。また、ＤＣＣＨ（Dedicated Control CHannel）は、端末装置１に専用の制御情報（dedicated control information）を送信するために少なくとも用いられる上位層のチャネルである。ここで、ＤＣＣＨは、例えば、ＲＲＣ接続されている端末装置１のために用いられてもよい。
【０１３１】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【０１３２】
トランスポートチャネルにおけるＵＬ−ＳＣＨは、物理チャネルにおいてＰＵＳＣＨにマップされてもよい。トランスポートチャネルにおけるＤＬ−ＳＣＨは、物理チャネルにおいてＰＤＳＣＨにマップされてもよい。トランスポートチャネルにおけるＢＣＨは、物理チャネルにおいてＰＢＣＨにマップされてもよい。
【０１３３】
以下、本実施形態の一態様に係る端末装置１の構成例を説明する。
【０１３４】
図６は、本実施形態の一態様に係る端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、お
よび、ベースバンド部１３の一部または全部を少なくとも含んで構成される。上位層処理部１４は、媒体アクセス制御層処理部１５、および、無線リソース制御層処理部１６の一部または全部を少なくとも含んで構成される。無線送受信部１０を送信部、受信部、または、物理層処理部とも称する。
【０１３５】
上位層処理部１４は、ユーザーの操作等により生成された上りリンクデータ（トランスポートブロック）を、無線送受信部１０に出力する。上位層処理部１４は、ＭＡＣ層、パケットデータ統合プロトコル（PDCP:Packet Data Convergence Protocol）層、無線リン
ク制御（RLC:Radio Link Control）層、ＲＲＣ層の処理を行なう。
【０１３６】
上位層処理部１４が備える媒体アクセス制御層処理部１５は、ＭＡＣ層の処理を行う。
【０１３７】
上位層処理部１４が備える無線リソース制御層処理部１６は、ＲＲＣ層の処理を行う。
無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。該パラメータは上位層のパラメータであってもよい。
【０１３８】
無線送受信部１０は、変調、復調、符号化、復号化などの物理層の処理を行う。無線送受信部１０は、受信した物理信号を、分離、復調、復号し、復号した情報を上位層処理部１４に出力する。無線送受信部１０は、データを変調、符号化、ベースバンド信号生成（時間連続信号への変換）することによって物理信号を生成し、基地局装置３に送信する。
【０１３９】
ＲＦ部１２は、アンテナ部１１を介して受信した信号を、直交復調によりベースバンド信号に変換し（ダウンコンバート：ｄｏｗｎ  ｃｏｖｅｒｔ）、不要な周波数成分を除去する。ＲＦ部１２は、処理をしたアナログ信号をベースバンド部に出力する。
【０１４０】
ベースバンド部１３は、ＲＦ部１２から入力されたアナログ信号をディジタル信号に変換する。ベースバンド部１３は、変換したディジタル信号からＣＰ（Cyclic Prefix）に
相当する部分を除去し、ＣＰを除去した信号に対して高速フーリエ変換（FFT:Fast Fourier Transform）を行い、周波数領域の信号を抽出する。
【０１４１】
ベースバンド部１３は、データを逆高速フーリエ変換（IFFT:Inverse Fast Fourier Transform）して、ＯＦＤＭシンボルを生成し、生成されたＯＦＤＭシンボルにＣＰを付加
し、ベースバンドのディジタル信号を生成し、ベースバンドのディジタル信号をアナログ信号に変換する。ベースバンド部１３は、変換したアナログ信号をＲＦ部１２に出力する。
【０１４２】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１４３】
以下、本実施形態の一態様に係る基地局装置３の構成例を説明する。
【０１４４】
図７は、本実施形態の一態様に係る基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１４５】
上位層処理部３４は、ＭＡＣ層、ＰＤＣＰ層、ＲＬＣ層、ＲＲＣ層の処理を行なう。
【０１４６】
上位層処理部３４が備える媒体アクセス制御層処理部３５は、ＭＡＣ層の処理を行う。
【０１４７】
上位層処理部３４が備える無線リソース制御層処理部３６は、ＲＲＣ層の処理を行う。無線リソース制御層処理部３６は、ＰＤＳＣＨに配置される下りリンクデータ（トランスポートブロック）、システム情報、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層
処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１４８】
無線送受信部３０の機能は、無線送受信部１０と同様であるため説明を省略する。
【０１４９】
端末装置１が備える符号１０から符号１６が付された部のそれぞれは、回路として構成されてもよい。基地局装置３が備える符号３０から符号３６が付された部のそれぞれは、回路として構成されてもよい。
【０１５０】
リソースブロックについて説明を行う。共通リソースブロック、および、物理リソースブロックは、リソースブロックとも呼称される。
【０１５１】
図８は、本実施形態の一態様に係る共通リソースブロック（CRB: Common Resource Block）のセットを示す一例である。図８において、リソースグリッド上に第１のポイントが与えられている。図８に示されるように、サブキャリア間隔の設定μ＝μｘに対する共通リソースブロックのセットに含まれる共通リソースブロックの数は、ＮＣＲＢ，μｘＲＢで与えられる。また、サブキャリア間隔の設定μ＝μｘに対する共通リソースブロックのセットは、インデックス＃０の共通リソースブロック（CRB#0）からインデックス＃ＮＣ
ＲＢ，μｘＲＢ−１の共通リソースブロック（CRB#NCRB,μxRB-1）までの共通リソースブロックを含む。サブキャリア間隔の設定μｘに対する共通リソースブロックのセットに含まれる共通リソースブロックのインデックスは、該共通リソースブロックがマップされる周波数が低い方から順番に、インデックス＃０からインデックス＃ＮＣＲＢ，μｘＲＢ−１の範囲で与えられる。サブキャリア間隔の設定μｘに対する共通リソースブロックのセットに含まれる共通リソースブロックは、サブキャリア間隔の設定μｘに対する共通リソースブロックとも呼称される。サブキャリア間隔の設定μｘに対する共通リソースブロック＃ｎＣＲＢ，μｘは、インデックス＃ｎＣＲＢ，μｘのサブキャリア間隔の設定μｘに対する共通リソースブロックを示す。ｎＣＲＢ，μｘの取りうる値は、０からＮＣＲＢ，μｘＲＢ−１の範囲で与えられる。サブキャリア間隔の設定μｘに対する共通リソースブロックのセットは、共通リソースブロックのセットとも呼称される。サブキャリア間隔の設定μｘに対する共通リソースブロックのセットは、共通リソースブロックとも呼称される。
【０１５２】
サブキャリア間隔の設定μｘ＋１に対する共通リソースブロック＃ｎＣＲＢ，μｘ＋１がマップされる周波数は、サブキャリア間隔の設定μｘに対する共通リソースブロック＃２・ｎＣＲＢ，μｘ＋１および共通リソースブロック＃２・ｎＣＲＢ，μｘ＋１＋１に対応する。
【０１５３】
サブキャリア間隔μに対する共通リソースブロックのセットに含まれるサブキャリアのインデックスは、該サブキャリアがマップされる周波数が低い方から順番に、インデックス＃０からインデックス＃ＮＲＢｓｃ・ＮＣＲＢ，μｘＲＢ−１の範囲で与えられる。サブキャリア間隔の設定μ＝μｘに対する共通リソースブロック＃０に含まれる複数のサブキャリアのうちの先頭のサブキャリア、および、サブキャリア間隔の設定μ＝μｘ＋１に対する共通リソースブロック＃０に含まれる複数のサブキャリアのうちの先頭のサブキャリアは第１のポイントと一致する。１または複数のサブキャリアのうちの先頭のサブキャリアは、１または複数のサブキャリアのうち最も周波数が低いサブキャリアであってもよい。
【０１５４】
下りリンクＢＷＰの物理リソースブロックは、サブキャリア間隔の設定μに対する共通リソースブロックのサブセットとして与えられてもよい。該サブキャリア間隔の設定μは
、該下りリンクＢＷＰに設定されるサブキャリア間隔の設定μであってもよい。下りリンクＢＷＰの物理リソースブロックの数がＮＢＷＰ，μＲＢであり、かつ、該下りリンクＢＷＰに含まれる１または複数の共通リソースブロックのうちの先頭の共通リソースブロックのインデックスがＮＢＷＰ＿ｓｔａｒｔ，μＲＢである場合、該下りリンクＢＷＰの該物理リソースブロックは、インデックス＃ＮＢＷＰ＿ｓｔａｒｔ，μＲＢから＃ＮＢＷＰ＿ｓｔａｒｔ，μＲＢ＋ＮＢＷＰ，μＲＢ−１までの該共通リソースブロックにより構成されてもよい。該下りリンクＢＷＰにおけるインデックス＃ＮＢＷＰ＿ｓｔａｒｔ，μＲＢから＃ＮＢＷＰ＿ｓｔａｒｔ，μＲＢ＋ＮＢＷＰ，μＲＢ−１までの該共通リソースブロックは、該下りリンクＢＷＰにおけるインデックス＃０からインデックス＃ＮＢＷＰ，μＲＢ−１までの物理リソースブロックのそれぞれに対応してもよい。１または複数のリソースブロックのうちの先頭のリソースブロックのインデックスは、１または複数のリソースブロックのうち最も低い周波数にマップされるリソースブロックであってもよい。
【０１５５】
図９は、本実施形態の一態様に係る通信方法の一例を示す図である。図９において、リソースグリッド上に第１のポイント、第２のポイント（Second point）、および、第３のポイント（Third point）が与えられている。第１のポイントは、ポイントＡとも呼称さ
れる。ポイントＡは、物理チャネル、および／または、該物理チャネルに関連する参照信号のマッピングのために用いられてもよい。
【０１５６】
ＣＯＲＥＳＥＴ＃０のために、ＰＤＳＣＨに関連するＤＭＲＳのマッピングの基準点（Reference point）は、該ＣＯＲＥＳＥＴ＃０に含まれる複数のサブキャリアのうちの先
頭のサブキャリアのインデックスであってもよい。ＣＯＲＥＳＥＴ＃０の探索領域セットにおいて検出されるＰＤＣＣＨに含まれるＤＣＩフォーマットに基づきスケジューリングされるＰＤＳＣＨに関連するＤＭＲＳのマッピングのための参照点は、該ＣＯＲＥＳＥＴ＃０に含まれる複数のサブキャリアのうちの先頭のサブキャリアのインデックスであってもよい。ＣＯＲＥＳＥＴ＃０は、ＰＢＣＨに含まれるＭＩＢに基づき設定されるＣＯＲＥＳＥＴであってもよい。
【０１５７】
ＣＯＲＥＳＥＴ＃０以外のＣＯＲＥＳＥＴのために、ＰＤＳＣＨに関連するＤＭＲＳのマッピングの基準点（Reference point）は、共通リソースブロック＃０に含まれるサブ
キャリア＃０（または、第１のポイント）であってもよい。ＣＯＲＥＳＥＴ＃０以外のＣＯＲＥＳＥＴの探索領域セットにおいて検出されるＰＤＣＣＨに含まれるＤＣＩフォーマットに基づきスケジューリングされるＰＤＳＣＨに関連するＤＭＲＳのマッピングのための参照点は、共通リソースブロック＃０に含まれるサブキャリア＃０（または、第１のポイント）であってもよい。
【０１５８】
図１０は、本実施形態の一態様に係るＤＭＲＳのマッピングの一例を示す図である。図１０（ａ）は、ＣＯＲＥＳＥＴ＃０のために、ＰＤＳＣＨに関連するＤＭＲＳの仮想的なマッピングは第１のポイントから開始される。一方で、該ＤＭＲＳが実際にマップされるリソースは、該ＰＤＳＣＨがマップされるリソースブロック内である。図１０（ｂ）は、ＣＯＲＥＳＥＴ＃０以外のＣＯＲＥＳＥＴのために、ＰＤＳＣＨに関連するＤＭＲＳの仮想的なマッピングは第１のポイントから開始される。一方で、該ＤＭＲＳが実際にマップされるリソースは、該ＰＤＳＣＨがマップされるリソースブロック内である。
【０１５９】
ＤＭＲＳのマッピングの基準点は、該ＤＭＲＳ系列の仮想的なマッピングの開始地点であってもよい。ＤＭＲＳは該ＤＭＲＳのマッピングの基準点から仮想的にマッピングされてもよい。ＤＭＲＳが実際にマッピングされるリソースは、該ＤＭＲＳに関連する物理チャネルがマップされるリソースブロック内であってもよい。
【０１６０】
ＣＯＲＥＳＥＴ＃０のために、ＰＤＣＣＨに関連するＤＭＲＳのマッピングの基準点（
Reference point）は、該ＣＯＲＥＳＥＴ＃０に含まれる複数のサブキャリアのうちの先
頭のサブキャリアのインデックスであってもよい。ＣＯＲＥＳＥＴ＃０の探索領域セットにおいて検出されるＰＤＣＣＨに関連するＤＭＲＳのマッピングのための参照点は、該ＣＯＲＥＳＥＴ＃０に含まれる複数のサブキャリアのうちの先頭のサブキャリアのインデックスであってもよい。
【０１６１】
ＣＯＲＥＳＥＴ＃０以外のＣＯＲＥＳＥＴのために、ＰＤＳＣＨに関連するＤＭＲＳのマッピングの基準点（Reference point）は、共通リソースブロック＃０に含まれるサブ
キャリア＃０（または、第１のポイント）であってもよい。ＣＯＲＥＳＥＴ＃０以外のＣＯＲＥＳＥＴの探索領域セットにおいて検出されるＰＤＣＣＨに含まれるＤＣＩフォーマットに基づきスケジューリングされるＰＤＳＣＨに関連するＤＭＲＳのマッピングのための参照点は、共通リソースブロック＃０に含まれるサブキャリア＃０（または、第１のポイント）であってもよい。
【０１６２】
ＰＢＣＨに関連するＤＭＲＳのマッピングの基準点ｖは、セルＩＤに少なくとも基づき与えられてもよい。該基準点ｖは、ｖ＝ｍｏｄ（Ｎｃｅｌｌ，４）で与えられてもよい。
【０１６３】
第１のポイントは、第１のサブキャリア間隔の設定μに対する共通リソースブロックのセットにおける基準点であってもよい。第１のポイントは、第１のサブキャリア間隔の設定μに対する共通リソースブロックのセットに含まれるインデックス＃０の共通リソースブロックに含まれるインデックス＃０のサブキャリアに一致してもよい。
【０１６４】
第２のポイントは、ＣＯＲＥＳＥＴ＃０がマップされる１または複数の共通リソースブロックのうちの先頭の共通リソースブロックのインデックスに対応してもよい。ＣＯＲＥＳＥＴ＃０がマップされる１または複数の共通リソースブロックは、第３のサブキャリア間隔の設定μに対する共通リソースブロックのセットに含まれてもよい。第２のポイントは、ＣＯＲＥＳＥＴ＃０がマップされる１または複数の共通リソースブロックのうちの先頭の共通リソースブロックに含まれる複数のサブキャリアのうちの先頭のサブキャリアのインデックスに対応してもよい。ＣＯＲＥＳＥＴ＃０がマップされる１または複数の共通リソースブロックのうちの先頭の共通リソースブロックのインデックスはＮＣＯＲＥＳＥＴ＿ｉｎｉｔ＿ｓｔａｒｔＲＢとも呼称される。ＣＯＲＥＳＥＴ＃０がマップされる１または複数の共通リソースブロックのうちの先頭の共通リソースブロックに含まれる複数のサブキャリアのうちの先頭のサブキャリアのインデックスはＮＣＯＲＥＳＥＴ＿ｉｎｉｔ＿ｓｔａｒｔｓｃとも呼称される。
【０１６５】
第１のオフセット（First offset）Ｎｏｆｆｓｅｔ１は、第３のポイントからＳＳ／ＰＢＣＨがマップされる１または複数のサブキャリアのうちの先頭のサブキャリアのインデックス＃ＮＰＢＣＨ＿ｓｔａｒｔｓｃまでの差（オフセット）を示してもよい。第１のオフセットＮｏｆｆｓｅｔ１は、第２のサブキャリア間隔の設定μに対する共通リソースブロックに含まれるサブキャリアの数として与えられてもよい。インデックス＃ＮＰＢＣＨ＿ｓｔａｒｔｓｃのサブキャリアを含む共通リソースブロックのインデックスは、ＮＰＢＣＨ＿ｓｔａｒｔＲＢとも呼称される。共通リソースブロック＃ＮＰＢＣＨ＿ｓｔａｒｔＲＢは、ＳＳ／ＰＢＣＨが完全にまたは部分的にマップされる１または複数のリソースブロックのうちの先頭の共通リソースブロックのインデックスであってもよい。第３のポイントに対応するサブキャリアを含む共通リソースブロックのインデックスは、Ｎｔｈｉｒｄ＿ｐｏｉｎｔＲＢとも呼称される。第３のポイントが示すサブキャリアのインデックスは、共通リソースブロック＃Ｎｔｈｉｒｄ＿ｐｏｉｎｔＲＢに含まれる複数のサブキャリアのうちの先頭のサブキャリアのインデックスであってもよい。
【０１６６】
ＰＢＣＨに適用される第４のサブキャリア間隔の設定μが該第４のサブキャリア間隔の
設定以外の所定のサブキャリア間隔の設定μに対する共通リソースブロックにマップされることは、ＰＢＣＨの周波数帯域と、該所定のサブキャリア間隔の設定μに対する共通リソースブロックの周波数が同一であることを示してもよい。
【０１６７】
第２のオフセット（Second offset）Ｎｏｆｆｓｅｔ２は、第１のポイントから第３の
ポイントを含む共通リソースブロックのインデックスＮｔｈｉｒｄ＿ｐｏｉｎｔＲＢまでの差を示してもよい。第２のオフセットＮｏｆｆｓｅｔ２は、第１のサブキャリア間隔の設定μに対する共通リソースブロックの数として与えられてもよい。第２のオフセットＮｏｆｆｓｅｔ２はＮｔｈｉｒｄ＿ｐｏｉｎｔＲＢと等しくてもよい。
【０１６８】
第３のオフセット（Third offset）Ｎｏｆｆｓｅｔ３は、第２のポイントに対応する共通リソースブロックのインデックス＃はＮＣＯＲＥＳＥＴ＿ｉｎｉｔ＿ｓｔａｒｔＲＢから第３のポイントを含む共通リソースブロックのインデックスＮｔｈｉｒｄ＿ｐｏｉｎｔＲＢまでの差を示してもよい。第３のオフセットＮｏｆｆｓｅｔ３は、第３のサブキャリア間隔の設定μに対する共通リソースブロックの数として与えられてもよい。
【０１６９】
第１のオフセットＮｏｆｆｓｅｔ１は、ＰＢＣＨに少なくとも基づき与えられてもよい。第１のオフセットＮｏｆｆｓｅｔ１は、ＰＢＣＨに含まれるＭＩＢに少なくとも基づき与えられてもよい。第１のオフセットＮｏｆｆｓｅｔ１は、ＰＢＣＨに含まれるＭＩＢ、および／または、該ＰＢＣＨに関連する参照信号に少なくとも基づき与えられてもよい。
【０１７０】
第２のオフセットＮｏｆｆｓｅｔ２は、第１のシステム情報に少なくとも基づき与えられてもよい。第２のオフセットＮｏｆｆｓｅｔ２は、上位層のパラメータに少なくとも基づき与えられてもよい。
【０１７１】
第３のオフセットＮｏｆｆｓｅｔ３は、第１のシステム情報に少なくとも基づき与えられてもよい。第３のオフセットＮｏｆｆｓｅｔ３は、上位層のパラメータに少なくとも基づき与えられてもよい。
【０１７２】
第１のポイントに対応する周波数は、上位層のパラメータに少なくとも基づき与えられてもよい。第１のポイントに対応する周波数は、上位層のパラメータＡＲＦＣＮのインデックスにより示されてもよい。
【０１７３】
第２のポイントに対応する周波数は、上位層のパラメータに少なくとも基づき与えられてもよい。第２のポイントに対応する周波数は、上位層のパラメータＡＲＦＣＮのインデックスにより示されてもよい。
【０１７４】
第３のポイントに対応する周波数は、上位層のパラメータに少なくとも基づき与えられてもよい。第３のポイントに対応する周波数は、上位層のパラメータＡＲＦＣＮのインデックスにより示されてもよい。
【０１７５】
第３のサブキャリア間隔の設定μは、ＰＢＣＨに含まれる上位層のパラメータに少なくとも基づき与えらえてもよい。
【０１７６】
第１のサブキャリア間隔の設定μは、第１の所定のサブキャリア間隔の設定μであってもよい。第２のサブキャリア間隔の設定μは、第１の所定のサブキャリア間隔の設定μであってもよい。第１の所定のサブキャリア間隔の設定μは０であってもよい。
【０１７７】
キャリア周波数が６ＧＨｚ未満の周波数帯域（below 6 GHz frequency band）において定義される周波数バンドに適用されるＳＳ／ＰＢＣＨタイプにおいて、第１のサブキャリ
ア間隔の設定μは、第１の所定のサブキャリア間隔の設定μであってもよい。キャリア周波数が６ＧＨｚ未満の周波数帯域（below 6 GHz frequency band）において定義される周波数バンドに適用されるＳＳ／ＰＢＣＨタイプにおいて、第２のサブキャリア間隔の設定μは、第１の所定のサブキャリア間隔の設定μであってもよい。キャリア周波数が６ＧＨｚ未満の周波数帯域（below 6 GHz frequency band）において定義される周波数バンドに適用されるＳＳ／ＰＢＣＨタイプにおいて、第１の所定のサブキャリア間隔の設定μは０であってもよい。
【０１７８】
前記第１のサブキャリア間隔の設定μは、第２の所定のサブキャリア間隔の設定μであってもよい。第２のサブキャリア間隔の設定μは、ＰＢＣＨに含まれる上位層のパラメータに少なくとも基づき与えられてもよい。該上位層のパラメータは、第３のサブキャリア間隔の設定μを少なくとも示す上位層のパラメータであってもよい。
【０１７９】
キャリア周波数が６ＧＨｚを超える周波数帯域（above 6 GHz frequency band）において定義される周波数バンドに適用されるＳＳ／ＰＢＣＨタイプにおいて、前記第１のサブキャリア間隔の設定μは、第２の所定のサブキャリア間隔の設定μであってもよい。キャリア周波数が６ＧＨｚを超える周波数帯域（above 6 GHz frequency band）において定義される周波数バンドに適用されるＳＳ／ＰＢＣＨタイプにおいて、第２のサブキャリア間隔の設定μは、ＰＢＣＨに含まれる上位層のパラメータに少なくとも基づき与えられてもよい。キャリア周波数が６ＧＨｚを超える周波数帯域（above 6 GHz frequency band）において定義される周波数バンドに適用されるＳＳ／ＰＢＣＨタイプにおいて、該上位層のパラメータは、第３のサブキャリア間隔の設定μを少なくとも示す上位層のパラメータであってもよい。
【０１８０】
初期下りリンクＢＷＰの共通リソースブロックの数ＮＢＷＰ＿ｉｎｉｔＲＢは、ＳＳ／ＰＢＣＨの帯域幅に対応する共通リソースブロックの数ＮＰＢＣＨＲＢ、ＳＳ／ＰＢＣＨが完全または部分的にマップされる共通リソースブロックの数ＮＰＢＣＨ＿ｏｖｅｒｌａｐＲＢ、ＣＯＲＥＳＥＴ＃０がマップされる共通リソースブロックの数ＮＣＯＲＥＳＥＴ＿ｉｎｉｔＲＢ、第３のオフセットＮｏｆｆｓｅｔ３の一部または全部に少なくとも基づき与えられてもよい。初期下りリンクＢＷＰの共通リソースブロックの数ＮＢＷＰ＿ｉｎｉｔＲＢは、数式３に少なくとも基づき与えられてもよい。
【数３】
2019198014.tif 000005
【０１８１】
ｍａｘ（Ａ，Ｂ）は、ＡとＢが異なる値である場合、ＡとＢのうちの大きい値を出力する関数であってもよい。ｍａｘ（Ａ，Ｂ）は、ＡとＢが同一の値である場合に、Ａ、または、Ｂを出力する関数であってもよい。
【０１８２】
例えば、ＳＳ／ＰＢＣＨおよびＣＯＲＥＳＥＴ＃０が周波数分割多重（FDM: Frequency
Division Multiplex）される場合、初期下りリンクＢＷＰの共通リソースブロックの数
ＮＢＷＰ＿ｉｎｉｔＲＢは数式１に少なくとも基づき与えられてもよい。ＳＳ／ＰＢＣＨおよびＣＯＲＥＳＥＴ＃０が周波数分割多重されることは、ＳＳ／ＰＢＣＨがマップされる全てのサブキャリアの周波数と、ＣＯＲＥＳＥＴ＃０がマップされる全てのサブキャリアの周波数が異なることであってもよい。
【０１８３】
例えば、ＳＳ／ＰＢＣＨおよびＣＯＲＥＳＥＴ＃０が周波数分割多重され、かつ、第３のオフセットＮｏｆｆｓｅｔ３が負の値である場合に、初期下りリンクＢＷＰの共通リソ
ースブロックの数ＮＢＷＰ＿ｉｎｉｔＲＢはＮＣＯＲＥＳＥＴ＿ｉｎｉｔＲＢ−Ｎｏｆｆｓｅｔ３であってもよい。
【０１８４】
例えば、ＳＳ／ＰＢＣＨおよびＣＯＲＥＳＥＴ＃０が周波数分割多重され、かつ、第３のオフセットＮｏｆｆｓｅｔ３が正の値であり、かつ、第１のオフセットＮｏｆｆｓｅｔ１が共通リソースブロックの境界に一致する場合、初期下りリンクＢＷＰの共通リソースブロックの数ＮＢＷＰ＿ｉｎｉｔＲＢはＮｏｆｆｓｅｔ３＋ＮＰＢＣＨＲＢであってもよい。
【０１８５】
例えば、ＳＳ／ＰＢＣＨおよびＣＯＲＥＳＥＴ＃０が周波数分割多重され、かつ、第３のオフセットＮｏｆｆｓｅｔ３が正の値であり、かつ、第１のオフセットＮｏｆｆｓｅｔ１の値が０である、または、１２である場合、初期下りリンクＢＷＰの共通リソースブロックの数ＮＢＷＰ＿ｉｎｉｔＲＢはＮｏｆｆｓｅｔ３＋ＮＰＢＣＨＲＢであってもよい。
【０１８６】
例えば、ＳＳ／ＰＢＣＨおよびＣＯＲＥＳＥＴ＃０が周波数分割多重され、かつ、第３のオフセットＮｏｆｆｓｅｔ３が正の値である場合、初期下りリンクＢＷＰの共通リソースブロックの数ＮＢＷＰ＿ｉｎｉｔＲＢはＮｏｆｆｓｅｔ３＋ＮＰＢＣＨ＿ｏｖｅｒｌａｐＲＢであってもよい。
【０１８７】
例えば、ＳＳ／ＰＢＣＨおよびＣＯＲＥＳＥＴ＃０が周波数分割多重され、かつ、第３のオフセットＮｏｆｆｓｅｔ３が正の値であり、かつ、第１のオフセットＮｏｆｆｓｅｔ１が共通リソースブロックの境界に一致しない場合、初期下りリンクＢＷＰの共通リソースブロックの数ＮＢＷＰ＿ｉｎｉｔＲＢはＮｏｆｆｓｅｔ３＋ＮＰＢＣＨＲＢ＋１であってもよい。
【０１８８】
例えば、ＳＳ／ＰＢＣＨおよびＣＯＲＥＳＥＴ＃０が周波数分割多重され、かつ、第３のオフセットＮｏｆｆｓｅｔ３が正の値であり、かつ、第１のオフセットＮｏｆｆｓｅｔ１の値が０とは異なる、かつ、１２とは異なる場合、初期下りリンクＢＷＰの共通リソースブロックの数ＮＢＷＰ＿ｉｎｉｔＲＢはＮｏｆｆｓｅｔ３＋ＮＰＢＣＨＲＢ＋１であってもよい。
【０１８９】
例えば、ＳＳ／ＰＢＣＨおよびＣＯＲＥＳＥＴ＃０が周波数分割多重されない場合（または、ＳＳ／ＰＢＣＨおよびＣＯＲＥＳＥＴ＃０が時間分割多重される場合）、初期下りリンクＢＷＰの共通リソースブロックの数ＮＢＷＰ＿ｉｎｉｔＲＢは、ＮＣＯＲＥＳＥＴ＿ｉｎｉｔＲＢであってもよい。ＳＳ／ＰＢＣＨおよびＣＯＲＥＳＥＴ＃０が周波数分割多重されないことは、ＳＳ／ＰＢＣＨがマップされるサブキャリアの周波数の一部とＣＯＲＥＳＥＴ＃０がマップされるサブキャリアの周波数の一部が少なくとも一致することであってもよい。
【０１９０】
図１１は、本実施形態の一態様に係るＮＰＢＣＨ＿ｏｖｅｒｌａｐＲＢの一例を示す図である。図１１に示されるように、ＳＳ／ＰＢＣＨがマップされる１または複数のサブキャリアのうちの先頭のサブキャリアが共通リソースブロックに一致しない場合、ＮＰＢＣＨ＿ｏｖｅｒｌａｐＲＢ＝ＮＰＢＣＨＲＢ＋１となる。つまり、ＮＰＢＣＨ＿ｏｖｅｒｌａｐＲＢはＳＳ／ＰＢＣＨが完全に、または、部分的にマップされる共通リソースブロックの数を示してもよい。ＳＳ／ＰＢＣＨが完全にマップされる共通リソースブロックは、該共通リソースブロックに含まれる全てのサブキャリアにＳＳ／ＰＢＣＨがマップされるような共通リソースブロックであってもよい。ＳＳ／ＰＢＣＨが完全にマップされる共通リソースブロックは、ＳＳ／ＰＢＣＨの少なくとも一部が該共通リソースブロックに含まれる全てのサブキャリアにマップされるような共通リソースブロックであってもよい。ＳＳ／ＰＢＣＨが部分的にマップされる共通リソースブロックは、該共通リソースブロック
に含まれる一部のサブキャリアにＳＳ／ＰＢＣＨがマップされるような共通リソースブロックであってもよい。ＳＳ／ＰＢＣＨが部分的にマップされる共通リソースブロックは、ＳＳ／ＰＢＣＨの少なくとも一部が該共通リソースブロックに含まれる一部のサブキャリアにマップされるような共通リソースブロックであってもよい。ＮＰＢＣＨＲＢは、ＳＳ／ＰＢＣＨの帯域幅に対応する共通リソースブロックの数である。ＮＰＢＣＨＲＢ＝２０であってもよい。
【０１９１】
図１１に示される格子縞で示されるブロックに対応する共通リソースブロックは、ＳＳ／ＰＢＣＨが部分的にマップされる共通リソースブロック（Partially overlapped common resource blocks）を示す。図１１に示される斜線で示されるブロックに対応する共通
リソースブロックは、ＳＳ／ＰＢＣＨが完全にマップされる共通リソースブロック（Fully overlapped common resource blocks）を示す。
【０１９２】
図１２は、本実施形態の一態様に係るＮＰＢＣＨ＿ｏｖｅｒｌａｐＲＢの一例を示す図である。図１２に示されるように、ＳＳ／ＰＢＣＨがマップされる１または複数のサブキャリアのうちの先頭のサブキャリアが共通リソースブロックの境界に一致する場合、ＮＰＢＣＨ＿ｏｖｅｒｌａｐＲＢ＝ＮＰＢＣＨＲＢとなる。つまり、ＮＰＢＣＨ＿ｏｖｅｒｌａｐＲＢは、ＳＳ／ＰＢＣＨが完全にマップされる共通リソースブロックの数と等しくてもよい。
【０１９３】
図１２に示される斜線で示されるブロックに対応する共通リソースブロックは、ＳＳ／ＰＢＣＨが完全にマップされる共通リソースブロック（Fully overlapped common resource blocks）を示す。
【０１９４】
初期下りリンクＢＷＰの共通リソースブロックの数ＮＢＷＰ＿ｉｎｉｔＲＢは、ＳＳ／ＰＢＣＨの帯域幅に対応する共通リソースブロックの数ＮＰＢＣＨＲＢ、ＣＯＲＥＳＥＴ＃０がマップされる共通リソースブロックの数ＮＣＯＲＥＳＥＴ＿ｉｎｉｔＲＢ、第１のオフセットＮｏｆｆｓｅｔ１、および、第３のオフセットＮｏｆｆｓｅｔ３の一部または全部に少なくとも基づき与えられてもよい。初期下りリンクＢＷＰの共通リソースブロックの数ＮＢＷＰ＿ｉｎｉｔＲＢは、数式４に少なくとも基づき与えられてもよい。
【数４】
2019198014.tif 000006
【０１９５】
ｍｏｄ（Ｃ，Ｄ）は、ＣをＤで割った余りを出力する関数である。ｃｅｉｌ（Ｅ）は、Ｅを下回らない条件における最小の整数を出力する関数であってもよい。ｃｅｉｌ（Ｅ）は、天井関数とも呼称される。
【０１９６】
例えば、ＳＳ／ＰＢＣＨおよびＣＯＲＥＳＥＴ＃０が周波数分割多重され、かつ、第３のオフセットＮｏｆｆｓｅｔ３が負の値である場合、初期下りリンクＢＷＰの共通リソースブロックの数ＮＢＷＰ＿ｉｎｉｔＲＢはＮＣＯＲＥＳＥＴ＿ｉｎｉｔＲＢ−Ｎｏｆｆｓｅｔ３であってもよい。
【０１９７】
例えば、ＳＳ／ＰＢＣＨおよびＣＯＲＥＳＥＴ＃０が周波数分割多重され、かつ、第３のオフセットＮｏｆｆｓｅｔ３が正の値である場合、初期下りリンクＢＷＰの共通リソースブロックの数ＮＢＷＰ＿ｉｎｉｔＲＢはＮｏｆｆｓｅｔ３＋ＮＰＢＣＨＲＢ＋ｃｅｉｌ（ｍｏｄ（Ｎｏｆｆｓｅｔ１，ＮＲＢｓｃ）／ＮＲＢｓｃ）であってもよい。
【０１９８】
例えば、ＳＳ／ＰＢＣＨおよびＣＯＲＥＳＥＴ＃０が周波数分割多重されない場合（または、ＳＳ／ＰＢＣＨおよびＣＯＲＥＳＥＴ＃０が時間分割多重される場合）、初期下りリンクＢＷＰの共通リソースブロックの数ＮＢＷＰ＿ｉｎｉｔＲＢは、ＮＣＯＲＥＳＥＴ＿ｉｎｉｔＲＢであってもよい。
【０１９９】
図１３は、本実施形態の一態様に係る通信方法の一例を示す図である。図１３において、リソースグリッド上に第１のポイント、第２のポイント、第３のポイント、および、第４のポイントが与えられている。第４のポイントは、ＳＳ／ＰＢＣＨがマップされる１または複数のサブキャリアの先頭のサブキャリアのインデックスＮＰＢＣＨ＿ｓｔａｒｔｓｃを示す。
【０２００】
第４のポイントに対応する周波数は、上位層のパラメータに少なくとも基づき与えられてもよい。第４のポイントに対応する周波数は、ＡＲＦＣＮのインデックスにより示されてもよい。
【０２０１】
第４のオフセットＮｏｆｆｓｅｔ４は、第１のポイントにより示されるサブキャリアのインデックスから第４のポイントにより示されるサブキャリアのインデックスＮＰＢＣＨ＿ｓｔａｒｔｓｃまでの差を示してもよい。
【０２０２】
第５のオフセットＮｏｆｆｓｅｔ５は、第２のポイントにより示されるサブキャリアのインデックスから第４のポイントにより示されるサブキャリアのインデックスＮＰＢＣＨ＿ｓｔａｒｔｓｃまでの差を示してもよい。
【０２０３】
初期下りリンクＢＷＰの共通リソースブロックの数ＮＢＷＰ＿ｉｎｉｔＲＢは、ＳＳ／ＰＢＣＨの帯域幅に対応する共通リソースブロックの数ＮＰＢＣＨＲＢ、ＣＯＲＥＳＥＴ＃０がマップされる共通リソースブロックの数ＮＣＯＲＥＳＥＴ＿ｉｎｉｔＲＢ、第１のオフセットＮｏｆｆｓｅｔ１、および、第３のオフセットＮｏｆｆｓｅｔ３、および、第４のオフセットＮｏｆｓｅｔ４の一部または全部に少なくとも基づき与えられてもよい。初期下りリンクＢＷＰの共通リソースブロックの数ＮＢＷＰ＿ｉｎｉｔＲＢは、数式５に少なくとも基づき与えられてもよい。
【数５】
2019198014.tif 000007
【０２０４】
例えば、ＳＳ／ＰＢＣＨおよびＣＯＲＥＳＥＴ＃０が周波数分割多重され、かつ、第３のオフセットＮｏｆｆｓｅｔ３が負の値である場合、初期下りリンクＢＷＰの共通リソースブロックの数ＮＢＷＰ＿ｉｎｉｔＲＢはＮＣＯＲＥＳＥＴ＿ｉｎｉｔＲＢ−Ｎｏｆｆｓｅｔ３であってもよい。
【０２０５】
例えば、ＳＳ／ＰＢＣＨおよびＣＯＲＥＳＥＴ＃０が周波数分割多重され、かつ、第３のオフセットＮｏｆｆｓｅｔ３が正の値である場合、初期下りリンクＢＷＰの共通リソースブロックの数ＮＢＷＰ＿ｉｎｉｔＲＢはＮｏｆｆｓｅｔ３＋ＮＰＢＣＨＲＢ＋ｃｅｉｌ（ｍｏｄ（Ｎｏｆｆｓｅｔ４，ＮＲＢｓｃ）／ＮＲＢｓｃ）であってもよい。
【０２０６】
例えば、ＳＳ／ＰＢＣＨおよびＣＯＲＥＳＥＴ＃０が周波数分割多重され、かつ、第３のオフセットＮｏｆｆｓｅｔ３が正の値であり、かつ、第４のオフセットＮｏｆｆｓｅｔ４が共通リソースブロックの境界に一致する場合、初期下りリンクＢＷＰの共通リソースブロックの数ＮＢＷＰ＿ｉｎｉｔＲＢはＮｏｆｆｓｅｔ３＋ＮＰＢＣＨＲＢであってもよ
い。
【０２０７】
例えば、ＳＳ／ＰＢＣＨおよびＣＯＲＥＳＥＴ＃０が周波数分割多重され、かつ、第３のオフセットＮｏｆｆｓｅｔ３が正の値であり、かつ、第４のオフセットＮｏｆｆｓｅｔ４の値が０である、または、１２の倍数である場合、初期下りリンクＢＷＰの共通リソースブロックの数ＮＢＷＰ＿ｉｎｉｔＲＢはＮｏｆｆｓｅｔ３＋ＮＰＢＣＨＲＢであってもよい。
【０２０８】
例えば、ＳＳ／ＰＢＣＨおよびＣＯＲＥＳＥＴ＃０が周波数分割多重され、かつ、第３のオフセットＮｏｆｆｓｅｔ３が正の値であり、かつ、第４のオフセットＮｏｆｆｓｅｔ４が共通リソースブロックの境界に一致しない場合、初期下りリンクＢＷＰの共通リソースブロックの数ＮＢＷＰ＿ｉｎｉｔＲＢはＮｏｆｆｓｅｔ３＋ＮＰＢＣＨＲＢ＋１であってもよい。
【０２０９】
例えば、ＳＳ／ＰＢＣＨおよびＣＯＲＥＳＥＴ＃０が周波数分割多重され、かつ、第３のオフセットＮｏｆｆｓｅｔ３が正の値であり、かつ、第４のオフセットＮｏｆｆｓｅｔ４の値が０とは異なる、かつ、１２の倍数ではない場合、初期下りリンクＢＷＰの共通リソースブロックの数ＮＢＷＰ＿ｉｎｉｔＲＢはＮｏｆｆｓｅｔ３＋ＮＰＢＣＨＲＢ＋１であってもよい。
【０２１０】
例えば、ＳＳ／ＰＢＣＨおよびＣＯＲＥＳＥＴ＃０が周波数分割多重されない場合（または、ＳＳ／ＰＢＣＨおよびＣＯＲＥＳＥＴ＃０が時間分割多重される場合）、初期下りリンクＢＷＰの共通リソースブロックの数ＮＢＷＰ＿ｉｎｉｔＲＢは、ＮＣＯＲＥＳＥＴ＿ｉｎｉｔＲＢであってもよい。
【０２１１】
初期下りリンクＢＷＰの共通リソースブロックの数ＮＢＷＰ＿ｉｎｉｔＲＢは、ＳＳ／ＰＢＣＨの帯域幅に対応する共通リソースブロックの数ＮＰＢＣＨＲＢ、ＣＯＲＥＳＥＴ＃０がマップされる共通リソースブロックの数ＮＣＯＲＥＳＥＴ＿ｉｎｉｔＲＢ、第１のオフセットＮｏｆｆｓｅｔ１、および、第３のオフセットＮｏｆｆｓｅｔ３、および、第５のオフセットＮｏｆｓｅｔ５の一部または全部に少なくとも基づき与えられてもよい。初期下りリンクＢＷＰの共通リソースブロックの数ＮＢＷＰ＿ｉｎｉｔＲＢは、数式６に少なくとも基づき与えられてもよい。
【数６】
2019198014.tif 000008
【０２１２】
例えば、ＳＳ／ＰＢＣＨおよびＣＯＲＥＳＥＴ＃０が周波数分割多重され、かつ、第３のオフセットＮｏｆｆｓｅｔ３が負の値である場合、初期下りリンクＢＷＰの共通リソースブロックの数ＮＢＷＰ＿ｉｎｉｔＲＢはＮＣＯＲＥＳＥＴ＿ｉｎｉｔＲＢ−Ｎｏｆｆｓｅｔ３であってもよい。
【０２１３】
例えば、ＳＳ／ＰＢＣＨおよびＣＯＲＥＳＥＴ＃０が周波数分割多重され、かつ、第３のオフセットＮｏｆｆｓｅｔ３が正の値である場合、初期下りリンクＢＷＰの共通リソースブロックの数ＮＢＷＰ＿ｉｎｉｔＲＢはＮｏｆｆｓｅｔ３＋ＮＰＢＣＨＲＢ＋ｃｅｉｌ（ｍｏｄ（Ｎｏｆｆｓｅｔ５，ＮＲＢｓｃ）／ＮＲＢｓｃ）であってもよい。
【０２１４】
例えば、ＳＳ／ＰＢＣＨおよびＣＯＲＥＳＥＴ＃０が周波数分割多重され、かつ、第３のオフセットＮｏｆｆｓｅｔ３が正の値であり、かつ、第５のオフセットＮｏｆｆｓｅｔ
５が共通リソースブロックの境界に一致する場合、初期下りリンクＢＷＰの共通リソースブロックの数ＮＢＷＰ＿ｉｎｉｔＲＢはＮｏｆｆｓｅｔ３＋ＮＰＢＣＨＲＢであってもよい。
【０２１５】
例えば、ＳＳ／ＰＢＣＨおよびＣＯＲＥＳＥＴ＃０が周波数分割多重され、かつ、第３のオフセットＮｏｆｆｓｅｔ３が正の値であり、かつ、第５のオフセットＮｏｆｆｓｅｔ５の値が０である、または、１２の倍数である場合、初期下りリンクＢＷＰの共通リソースブロックの数ＮＢＷＰ＿ｉｎｉｔＲＢはＮｏｆｆｓｅｔ３＋ＮＰＢＣＨＲＢであってもよい。
【０２１６】
例えば、ＳＳ／ＰＢＣＨおよびＣＯＲＥＳＥＴ＃０が周波数分割多重され、かつ、第３のオフセットＮｏｆｆｓｅｔ３が正の値であり、かつ、第５のオフセットＮｏｆｆｓｅｔ５が共通リソースブロックの境界に一致しない場合、初期下りリンクＢＷＰの共通リソースブロックの数ＮＢＷＰ＿ｉｎｉｔＲＢはＮｏｆｆｓｅｔ３＋ＮＰＢＣＨＲＢ＋１であってもよい。
【０２１７】
例えば、ＳＳ／ＰＢＣＨおよびＣＯＲＥＳＥＴ＃０が周波数分割多重され、かつ、第３のオフセットＮｏｆｆｓｅｔ３が正の値であり、かつ、第５のオフセットＮｏｆｆｓｅｔ５の値が０とは異なる、かつ、１２の倍数ではない場合、初期下りリンクＢＷＰの共通リソースブロックの数ＮＢＷＰ＿ｉｎｉｔＲＢはＮｏｆｆｓｅｔ３＋ＮＰＢＣＨＲＢ＋１であってもよい。
【０２１８】
例えば、ＳＳ／ＰＢＣＨおよびＣＯＲＥＳＥＴ＃０が周波数分割多重されない場合（または、ＳＳ／ＰＢＣＨおよびＣＯＲＥＳＥＴ＃０が時間分割多重される場合）、初期下りリンクＢＷＰの共通リソースブロックの数ＮＢＷＰ＿ｉｎｉｔＲＢは、ＮＣＯＲＥＳＥＴ＿ｉｎｉｔＲＢであってもよい。
【０２１９】
下りリンクＢＷＰにおける制御リソースセットのＣＳＳで検出される第１の下りリンクＤＣＩフォーマットのペイロードサイズは、初期下りリンクＢＷＰのリソースブロックの数ＮＢＷＰ＿ｉｎｉｔＲＢに少なくとも基づき与えられてもよい。該第１の下りリンクＤＣＩフォーマットに含まれる周波数領域リソース割り当てフィールドのサイズは、初期下りリンクＢＷＰのリソースブロックの数ＮＢＷＰ＿ｉｎｉｔＲＢに少なくとも基づき与えられてもよい。該周波数領域リソース割り当てフィールドにより割り当て可能な該下りリンクＢＷＰのリソースブロックの最大数は、初期下りリンクＢＷＰのリソースブロックの数ＮＢＷＰ＿ｉｎｉｔＲＢに少なくとも基づき与えられてもよい。例えば、該下りリンクＢＷＰのリソースブロックの数ＮＢＷＰＲＢがＮＢＷＰ＿ｉｎｉｔＲＢより小さい場合、該周波数領域リソース割り当てフィールドにより割り当て可能な該下りリンクＢＷＰのリソースブロックの最大数は、ＮＢＷＰＲＢであってもよい。例えば、該下りリンクＢＷＰのリソースブロックの数ＮＢＷＰＲＢがＮＢＷＰ＿ｉｎｉｔＲＢと等しい場合、該周波数領域リソース割り当てフィールドにより割り当て可能な該下りリンクＢＷＰのリソースブロックの最大数は、ＮＢＷＰＲＢ、または、ＮＢＷＰ＿ｉｎｉｔＲＢであってもよい。例えば、該下りリンクＢＷＰのリソースブロックの数ＮＢＷＰＲＢがＮＢＷＰ＿ｉｎｉｔＲＢより大きい場合、該周波数領域リソース割り当てフィールドにより割り当て可能な該下りリンクＢＷＰのリソースブロックの最大数は、ＮＢＷＰ＿ｉｎｉｔＲＢであってもよい。
【０２２０】
該下りリンクＢＷＰのリソースブロックの数ＮＢＷＰＲＢがＮＢＷＰ＿ｉｎｉｔＲＢより大きいか否かに関わらず、該周波数領域リソース割り当てフィールドにより割り当て可能な該下りリンクＢＷＰのリソースブロックの最大数は、ＮＢＷＰ＿ｉｎｉｔＲＢであってもよい。
【０２２１】
該下りリンクＢＷＰのリソースブロックの数ＮＢＷＰＲＢがＮＢＷＰ＿ｉｎｉｔＲＢより大きいか否かに関わらず、該周波数領域リソース割り当てフィールドにより割り当て可能な該下りリンクＢＷＰのリソースブロックの最大数は、ＮＢＷＰＲＢであってもよい。
【０２２２】
該周波数領域リソース割り当てフィールドにより割り当て可能な該下りリンクＢＷＰのリソースブロックの最大数は、ＣＯＲＥＳＥＴ＃０がマップされるリソースブロックの数ＮＣＯＲＥＳＥＴ＿ｉｎｉｔＲＢに少なくとも基づき与えられてもよい。例えば、該下りリンクＢＷＰのリソースブロックの数ＮＢＷＰＲＢがＮＣＯＲＥＳＥＴ＿ｉｎｉｔＲＢより小さい場合、該周波数領域リソース割り当てフィールドにより割り当て可能な該下りリンクＢＷＰのリソースブロックの最大数は、ＮＢＷＰＲＢであってもよい。例えば、該下りリンクＢＷＰのリソースブロックの数ＮＢＷＰＲＢがＮＣＯＲＥＳＥＴ＿ｉｎｉｔＲＢと等しい場合、該周波数領域リソース割り当てフィールドにより割り当て可能な該下りリンクＢＷＰのリソースブロックの最大数は、ＮＢＷＰＲＢ、または、ＮＣＯＲＥＳＥＴ＿ｉｎｉｔＲＢであってもよい。例えば、該下りリンクＢＷＰのリソースブロックの数ＮＢＷＰＲＢがＮＣＯＲＥＳＥＴ＿ｉｎｉｔＲＢより大きい場合、該周波数領域リソース割り当てフィールドにより割り当て可能な該下りリンクＢＷＰのリソースブロックの最大数は、ＮＣＯＲＥＳＥＴ＿ｉｎｉｔＲＢであってもよい。
【０２２３】
該下りリンクＢＷＰのリソースブロックの数ＮＢＷＰＲＢがＮＣＯＲＥＳＥＴ＿ｉｎｉｔＲＢより大きいか否かに関わらず、該周波数領域リソース割り当てフィールドにより割り当て可能な該下りリンクＢＷＰのリソースブロックの最大数は、ＮＣＯＲＥＳＥＴ＿ｉｎｉｔＲＢであってもよい。
【０２２４】
該下りリンクＢＷＰのリソースブロックの数ＮＢＷＰＲＢがＮＣＯＲＥＳＥＴ＿ｉｎｉｔＲＢより大きいか否かに関わらず、該周波数領域リソース割り当てフィールドにより割り当て可能な該下りリンクＢＷＰのリソースブロックの最大数は、ＮＢＷＰＲＢであってもよい。
【０２２５】
該周波数領域リソース割り当てフィールドにより割り当て可能な該下りリンクＢＷＰのリソースブロックの最大数は、該下りリンクＢＷＰにおける該制御リソースセットがマップされるリソースブロックの数ＮＣＯＲＥＳＥＴＲＢに少なくとも基づき与えられてもよい。例えば、該下りリンクＢＷＰにおける該制御リソースセットがマップされるリソースブロックの数ＮＣＯＲＥＳＥＴＲＢがＮＢＷＰ＿ｉｎｉｔＲＢより小さい場合、該周波数領域リソース割り当てフィールドにより割り当て可能な該下りリンクＢＷＰのリソースブロックの最大数は、ＮＣＯＲＥＳＥＴＲＢであってもよい。例えば、該下りリンクＢＷＰにおける該制御リソースセットがマップされるリソースブロックの数ＮＣＯＲＥＳＥＴＲＢがＮＢＷＰ＿ｉｎｉｔＲＢと等しい場合、該周波数領域リソース割り当てフィールドにより割り当て可能な該下りリンクＢＷＰのリソースブロックの最大数は、ＮＣＯＲＥＳＥＴＲＢ、または、ＮＢＷＰ＿ｉｎｉｔＲＢであってもよい。例えば、該下りリンクＢＷＰにおける該制御リソースセットがマップされるリソースブロックの数ＮＣＯＲＥＳＥＴＲＢがＮＢＷＰ＿ｉｎｉｔＲＢより大きい場合、該周波数領域リソース割り当てフィールドにより割り当て可能な該下りリンクＢＷＰのリソースブロックの最大数は、ＮＢＷＰ＿ｉｎｉｔＲＢであってもよい。
【０２２６】
該下りリンクＢＷＰにおける該制御リソースセットがマップされるリソースブロックの数ＮＣＯＲＥＳＥＴＲＢがＮＢＷＰ＿ｉｎｉｔＲＢより大きいか否かに関わらず、該周波数領域リソース割り当てフィールドにより割り当て可能な該下りリンクＢＷＰのリソースブロックの最大数は、ＮＢＷＰ＿ｉｎｉｔＲＢであってもよい。
【０２２７】
該下りリンクＢＷＰにおける該制御リソースセットがマップされるリソースブロックの数ＮＣＯＲＥＳＥＴＲＢがＮＢＷＰ＿ｉｎｉｔＲＢより大きいか否かに関わらず、該周波数領域リソース割り当てフィールドにより割り当て可能な該下りリンクＢＷＰのリソースブロックの最大数は、ＮＣＯＲＥＳＥＴＲＢであってもよい。
【０２２８】
例えば、該下りリンクＢＷＰにおける該制御リソースセットがマップされるリソースブロックの数ＮＣＯＲＥＳＥＴＲＢがＮＣＯＲＥＳＥＴ＿ｉｎｉｔＲＢより小さい場合、該周波数領域リソース割り当てフィールドにより割り当て可能な該下りリンクＢＷＰのリソースブロックの最大数は、ＮＣＯＲＥＳＥＴＲＢであってもよい。例えば、該下りリンクＢＷＰにおける該制御リソースセットがマップされるリソースブロックの数ＮＣＯＲＥＳＥＴＲＢがＮＣＯＲＥＳＥＴ＿ｉｎｉｔＲＢと等しい場合、該周波数領域リソース割り当てフィールドにより割り当て可能な該下りリンクＢＷＰのリソースブロックの最大数は、ＮＣＯＲＥＳＥＴＲＢ、または、ＮＣＯＲＥＳＥＴ＿ｉｎｉｔＲＢであってもよい。例えば、該下りリンクＢＷＰにおける該制御リソースセットがマップされるリソースブロックの数ＮＣＯＲＥＳＥＴＲＢがＮＣＯＲＥＳＥＴ＿ｉｎｉｔＲＢより大きい場合、該周波数領域リソース割り当てフィールドにより割り当て可能な該下りリンクＢＷＰのリソースブロックの最大数は、ＮＣＯＲＥＳＥＴ＿ｉｎｉｔＲＢであってもよい。
【０２２９】
該下りリンクＢＷＰにおける該制御リソースセットがマップされるリソースブロックの数ＮＣＯＲＥＳＥＴＲＢがＮＣＯＲＥＳＥＴ＿ｉｎｉｔＲＢより大きいか否かに関わらず、該周波数領域リソース割り当てフィールドにより割り当て可能な該下りリンクＢＷＰのリソースブロックの最大数は、ＮＣＯＲＥＳＥＴ＿ｉｎｉｔＲＢであってもよい。
【０２３０】
該下りリンクＢＷＰにおける該制御リソースセットがマップされるリソースブロックの数ＮＣＯＲＥＳＥＴＲＢがＮＣＯＲＥＳＥＴ＿ｉｎｉｔＲＢより大きいか否かに関わらず、該周波数領域リソース割り当てフィールドにより割り当て可能な該下りリンクＢＷＰのリソースブロックの最大数は、ＮＣＯＲＥＳＥＴＲＢであってもよい。
【０２３１】
該周波数領域リソース割り当てフィールドにより割り当て可能な該下りリンクＢＷＰの１または複数のリソースブロックのうちの先頭のリソースブロックのインデックスは、該制御リソースセットがマップされる１または複数のリソースブロックのうちの先頭のリソースブロックのインデックスＮＣＯＲＥＳＥＴ＿ｓｔａｒｔＲＢであってもよい。
【０２３２】
所定の条件１０１が満たされない場合、下りリンクＢＷＰにおける制御リソースセットのＵＳＳで検出される第１のＤＣＩフォーマットのペイロードサイズは、初期下りリンクＢＷＰのリソースブロックの数ＮＢＷＰ＿ｉｎｉｔＲＢに少なくとも基づき与えられてもよい。該第１の下りリンクＤＣＩフォーマットに含まれる周波数領域リソース割り当てフィールドのサイズは、初期下りリンクＢＷＰのリソースブロックの数ＮＢＷＰ＿ｉｎｉｔＲＢに少なくとも基づき与えられてもよい。該周波数領域リソース割り当てフィールドにより割り当て可能な該下りリンクＢＷＰのリソースブロックの最大数は、初期下りリンクＢＷＰのリソースブロックの数ＮＢＷＰ＿ｉｎｉｔＲＢに少なくとも基づき与えられてもよい。該周波数領域リソース割り当てフィールドにより割り当て可能な該下りリンクＢＷＰのリソースブロックの最大数は、該下りリンクＢＷＰのリソースブロックの数ＮＢＷＰＲＢであってもよい。該周波数領域リソース割り当てフィールドにより割り当て可能な該下りリンクＢＷＰの１または複数のリソースブロックのうちの先頭のリソースブロックのインデックスは、該下りリンクＢＷＰの１または複数のリソースブロックのうちの先頭のリソースブロックのインデックスＮＢＷＰ＿ｓｔａｒｔＲＢであってもよい。
【０２３３】
所定の条件１０１は、以下の条件１０１ａおよび条件１０１ｂの一方または両方を少なくとも含んでもよい。
条件１０１ａ）１つのサービングセルにおける１つのスロットにおいてモニタされる異なるサイズのＤＣＩフォーマットの数が４以下である
条件１０１ｂ）１つのサービングセルにおける１つのスロットにおいてＣ−ＲＮＴＩでモニタされる異なるサイズのＤＣＩフォーマットの数が３以下である
【０２３４】
Ｃ−ＲＮＴＩでモニタされるＤＣＩフォーマットは、Ｃ−ＲＮＴＩでスクランブルされたＣＲＣを含むＤＣＩフォーマットであってもよい。
【０２３５】
所定の条件１０１が満たされる場合、下りリンクＢＷＰにおける制御リソースセットのＵＳＳで検出される第１の下りリンクＤＣＩフォーマットのペイロードサイズは、該下りリンクＢＷＰのリソースブロックの数ＮＢＷＰＲＢに少なくとも基づき与えられてもよい。該第１の下りリンクＤＣＩフォーマットに含まれる周波数領域リソース割り当てフィールドのサイズは、該下りリンクＢＷＰのリソースブロックの数ＮＢＷＰＲＢに少なくとも基づき与えられてもよい。該周波数リソース割り当て情報フィールドにより割り当て可能な該下りリンクＢＷＰのリソースブロックの最大数は、該下りリンクＢＷＰのリソースブロックの数ＮＢＷＰＲＢであってもよい。該周波数領域リソース割り当てフィールドにより割り当て可能な該下りリンクＢＷＰの１または複数のリソースブロックのうちの先頭のリソースブロックのインデックスは、該下りリンクＢＷＰの１または複数のリソースブロックのうちの先頭のリソースブロックのインデックスＮＢＷＰ＿ｓｔａｒｔＲＢであってもよい。
【０２３６】
下りリンクＢＷＰにおける制御リソースセットのＵＳＳで検出される第２の下りリンクＤＣＩフォーマットのペイロードサイズは、該下りリンクＢＷＰのリソースブロックの数ＮＢＷＰＲＢに少なくとも基づき与えられてもよい。該第２の下りリンクＤＣＩフォーマットに含まれる周波数領域リソース割り当てフィールドのサイズは、該下りリンクＢＷＰのリソースブロックの数ＮＢＷＰＲＢに少なくとも基づき与えられてもよい。該周波数リソース割り当て情報フィールドにより割り当て可能な該下りリンクＢＷＰのリソースブロックの最大数は、該下りリンクＢＷＰのリソースブロックの数ＮＢＷＰＲＢであってもよい。該周波数領域リソース割り当てフィールドにより割り当て可能な該下りリンクＢＷＰの１または複数のリソースブロックのうちの先頭のリソースブロックのインデックスは、該下りリンクＢＷＰの１または複数のリソースブロックのうちの先頭のリソースブロックのインデックスＮＢＷＰ＿ｓｔａｒｔＲＢであってもよい。
【０２３７】
下りリンクＢＷＰにおける制御リソースセットのＣＳＳで検出される第１の上りリンクＤＣＩフォーマットのサイズは、初期下りリンクＢＷＰのリソースブロックの数ＮＢＷＰ＿ｉｎｉｔＲＢに少なくとも基づき与えられてもよい。該第１の上りリンクＤＣＩフォーマットに含まれる周波数領域リソース割り当てフィールドのサイズは、初期下りリンクＢＷＰのリソースブロックの数ＮＢＷＰ＿ｉｎｉｔＲＢに少なくとも基づき与えられてもよい。該第１の上りリンクＤＣＩフォーマットに含まれる周波数領域リソース割り当てフィールドのサイズは、上りリンクＢＷＰのリソースブロックの数ＮＢＷＰ＿ＵＬＲＢに少なくとも基づき与えられてもよい。該周波数領域リソース割り当てフィールドにより割り当て可能な該上りリンクＢＷＰのリソースブロックの最大数は、初期下りリンクＢＷＰのリソースブロックの数ＮＢＷＰ＿ｉｎｉｔＲＢに少なくとも基づき与えられてもよい。例えば、該上りリンクＢＷＰのリソースブロックの数ＮＢＷＰ＿ＵＬＲＢがＮＢＷＰ＿ｉｎｉｔＲＢより小さい場合、該周波数領域リソース割り当てフィールドにより割り当て可能な該上りリンクＢＷＰのリソースブロックの最大数は、ＮＢＷＰ＿ＵＬＲＢであってもよい。例えば、該上りリンクＢＷＰのリソースブロックの数ＮＢＷＰ＿ＵＬＲＢがＮＢＷＰ＿ｉｎｉｔＲＢと等しい場合、該周波数領域リソース割り当てフィールドにより割り当て可能な該上りリンクＢＷＰのリソースブロックの最大数は、ＮＢＷＰ＿ＵＬＲＢ、または、ＮＢＷＰ＿ｉｎｉｔＲＢであってもよい。例えば、該上りリンクＢＷＰのリソースブロッ
クの数ＮＢＷＰ＿ＵＬＲＢがＮＢＷＰ＿ｉｎｉｔＲＢより大きい場合、該周波数領域リソース割り当てフィールドにより割り当て可能な該上りリンクＢＷＰのリソースブロックの最大数は、ＮＢＷＰ＿ｉｎｉｔＲＢであってもよい。
【０２３８】
該上りリンクＢＷＰのリソースブロックの数ＮＢＷＰ＿ＵＬＲＢがＮＢＷＰ＿ｉｎｉｔＲＢより大きいか否かに関わらず、該周波数領域リソース割り当てフィールドにより割り当て可能な該上りリンクＢＷＰのリソースブロックの最大数は、ＮＢＷＰ＿ｉｎｉｔＲＢであってもよい。
【０２３９】
該上りリンクＢＷＰのリソースブロックの数ＮＢＷＰ＿ＵＬＲＢがＮＢＷＰ＿ｉｎｉｔＲＢより大きいか否かに関わらず、該周波数領域リソース割り当てフィールドにより割り当て可能な該上りリンクＢＷＰのリソースブロックの最大数は、ＮＢＷＰ＿ＵＬＲＢであってもよい。
【０２４０】
該周波数領域リソース割り当てフィールドにより割り当て可能な該上りリンクＢＷＰのリソースブロックの最大数は、ＣＯＲＥＳＥＴ＃０がマップされるリソースブロックの数ＮＣＯＲＥＳＥＴ＿ｉｎｉｔＲＢに少なくとも基づき与えられてもよい。例えば、該上りリンクＢＷＰのリソースブロックの数ＮＢＷＰ＿ＵＬＲＢがＮＣＯＲＥＳＥＴ＿ｉｎｉｔＲＢより小さい場合、該周波数領域リソース割り当てフィールドにより割り当て可能な該上りリンクＢＷＰのリソースブロックの最大数は、ＮＢＷＰ＿ＵＬＲＢであってもよい。例えば、該上りリンクＢＷＰのリソースブロックの数ＮＢＷＰ＿ＵＬＲＢがＮＣＯＲＥＳＥＴ＿ｉｎｉｔＲＢと等しい場合、該周波数領域リソース割り当てフィールドにより割り当て可能な該上りリンクＢＷＰのリソースブロックの最大数は、ＮＢＷＰ＿ＵＬＲＢ、または、ＮＣＯＲＥＳＥＴ＿ｉｎｉｔＲＢであってもよい。例えば、該上りリンクＢＷＰのリソースブロックの数ＮＢＷＰ＿ＵＬＲＢがＮＣＯＲＥＳＥＴ＿ｉｎｉｔＲＢより大きい場合、該周波数領域リソース割り当てフィールドにより割り当て可能な該上りリンクＢＷＰのリソースブロックの最大数は、ＮＣＯＲＥＳＥＴ＿ｉｎｉｔＲＢであってもよい。
【０２４１】
該上りリンクＢＷＰのリソースブロックの数ＮＢＷＰ＿ＵＬＲＢがＮＣＯＲＥＳＥＴ＿ｉｎｉｔＲＢより大きいか否かに関わらず、該周波数領域リソース割り当てフィールドにより割り当て可能な該上りリンクＢＷＰのリソースブロックの最大数は、ＮＣＯＲＥＳＥＴ＿ｉｎｉｔＲＢであってもよい。
【０２４２】
該上りリンクＢＷＰのリソースブロックの数ＮＢＷＰ＿ＵＬＲＢがＮＣＯＲＥＳＥＴ＿ｉｎｉｔＲＢより大きいか否かに関わらず、該周波数領域リソース割り当てフィールドにより割り当て可能な該上りリンクＢＷＰのリソースブロックの最大数は、ＮＢＷＰ＿ＵＬＲＢであってもよい。
【０２４３】
該周波数領域リソース割り当てフィールドにより割り当て可能な該上りリンクＢＷＰのリソースブロックの最大数は、初期上りリンクＢＷＰのリソースブロックの数ＮＢＷＰ＿ｉｎｉｔ＿ＵＬＲＢに少なくとも基づき与えられてもよい。例えば、該上りリンクＢＷＰのリソースブロックの数ＮＢＷＰ＿ＵＬＲＢがＮＢＷＰ＿ｉｎｉｔ＿ＵＬＲＢより小さい場合、該周波数領域リソース割り当てフィールドにより割り当て可能な該上りリンクＢＷＰのリソースブロックの最大数は、ＮＢＷＰ＿ＵＬＲＢであってもよい。例えば、該上りリンクＢＷＰのリソースブロックの数ＮＢＷＰ＿ＵＬＲＢがＮＢＷＰ＿ｉｎｉｔ＿ＵＬＲＢと等しい場合、該周波数領域リソース割り当てフィールドにより割り当て可能な該上りリンクＢＷＰのリソースブロックの最大数は、ＮＢＷＰ＿ＵＬＲＢ、または、ＮＢＷＰ＿ｉｎｉｔ＿ＵＬＲＢであってもよい。例えば、該上りリンクＢＷＰのリソースブロックの数ＮＢＷＰ＿ＵＬＲＢがＮＢＷＰ＿ｉｎｉｔ＿ＵＬＲＢより大きい場合、該周波数領域リソース割り当てフィールドにより割り当て可能な該上りリンクＢＷＰのリソースブロック
の最大数は、ＮＢＷＰ＿ｉｎｉｔ＿ＵＬＲＢであってもよい。
【０２４４】
該上りリンクＢＷＰのリソースブロックの数ＮＢＷＰ＿ＵＬＲＢがＮＢＷＰ＿ｉｎｉｔ＿ＵＬＲＢより大きいか否かに関わらず、該周波数領域リソース割り当てフィールドにより割り当て可能な該上りリンクＢＷＰのリソースブロックの最大数は、ＮＢＷＰ＿ｉｎｉｔ＿ＵＬＲＢであってもよい。
【０２４５】
該上りリンクＢＷＰのリソースブロックの数ＮＢＷＰ＿ＵＬＲＢがＮＢＷＰ＿ｉｎｉｔ＿ＵＬＲＢより大きいか否かに関わらず、該周波数領域リソース割り当てフィールドにより割り当て可能な該上りリンクＢＷＰのリソースブロックの最大数は、ＮＢＷＰ＿ＵＬＲＢであってもよい。
【０２４６】
該周波数領域リソース割り当てフィールドにより割り当て可能な該上りリンクＢＷＰのリソースブロックの最大数は、該上りリンクＢＷＰのリソースブロックの数ＮＢＷＰ＿ＵＬＲＢであってもよい。
【０２４７】
該周波数領域リソース割り当てフィールドにより割り当て可能な該上りリンクＢＷＰの１または複数のリソースブロックのうちの先頭のリソースブロックのインデックスは、初期上りリンクＢＷＰの１または複数のリソースブロックのうちの先頭のリソースブロックのインデックスＮＢＷＰ＿ｉｎｉｔ＿ＵＬ＿ｓｔａｒｔＲＢであってもよい。該周波数領域リソース割り当てフィールドにより割り当て可能な該上りリンクＢＷＰの１または複数のリソースブロックのうちの先頭のリソースブロックのインデックスは、該上りリンクＢＷＰの１または複数のリソースブロックのうちの先頭のリソースブロックのインデックスＮＢＷＰ＿ＵＬ＿ｓｔａｒｔＲＢであってもよい。該上りリンクＢＷＰは活性化上りリンクＢＷＰ（Active UL BWP）であってもよい。
【０２４８】
所定の条件１０１が満たされない場合、下りリンクＢＷＰにおける制御リソースセットのＵＳＳで検出される第１の上りリンクＤＣＩフォーマットのペイロードサイズは、初期下りリンクＢＷＰのリソースブロックの数ＮＢＷＰ＿ｉｎｉｔＲＢに少なくとも基づき与えられてもよい。該第１の上りリンクＤＣＩフォーマットに含まれる周波数領域リソース割り当てフィールドのサイズは、初期下りリンクＢＷＰのリソースブロックの数ＮＢＷＰ＿ｉｎｉｔＲＢに少なくとも基づき与えられてもよい。該周波数領域リソース割り当てフィールドにより割り当て可能な該上りリンクＢＷＰのリソースブロックの最大数は、初期下りリンクＢＷＰのリソースブロックの数ＮＢＷＰ＿ｉｎｉｔＲＢに少なくとも基づき与えられてもよい。該周波数領域リソース割り当てフィールドにより割り当て可能な該上りリンクＢＷＰのリソースブロックの最大数は、ＣＯＲＥＳＥＴ＃０がマップされるリソースブロックの数ＮＣＯＲＥＳＥＴ＿ｉｎｉｔＲＢに少なくとも基づき与えられてもよい。該周波数領域リソース割り当てフィールドにより割り当て可能な該上りリンクＢＷＰのリソースブロックの最大数は、初期上りリンクＢＷＰのリソースブロックの数ＮＢＷＰ＿ｉｎｉｔ＿ＵＬＲＢに少なくとも基づき与えられてもよい。該周波数領域リソース割り当てフィールドにより割り当て可能な該上りリンクＢＷＰのリソースブロックの最大数は、該上りリンクＢＷＰのリソースブロックの数ＮＢＷＰ＿ＵＬＲＢであってもよい。該周波数領域リソース割り当てフィールドにより割り当て可能な該上りリンクＢＷＰの１または複数のリソースブロックのうちの先頭のリソースブロックのインデックスは、該上りリンクＢＷＰの１または複数のリソースブロックのうちの先頭のリソースブロックのインデックスＮＢＷＰ＿ＵＬ＿ｓｔａｒｔＲＢであってもよい。
【０２４９】
所定の条件１０１が満たされる場合、下りリンクＢＷＰにおける制御リソースセットのＵＳＳで検出される第１の上りリンクＤＣＩフォーマットのペイロードサイズは、該下りリンクＢＷＰのリソースブロックの数ＮＢＷＰＲＢに少なくとも基づき与えられてもよい
。該第１の上りリンクＤＣＩフォーマットに含まれる周波数領域リソース割り当てフィールドのサイズは、該下りリンクＢＷＰのリソースブロックの数ＮＢＷＰＲＢに少なくとも基づき与えられてもよい。該周波数領域リソース割り当てフィールドにより割り当て可能な該上りリンクＢＷＰのリソースブロックの最大数は、該下りリンクＢＷＰのリソースブロックの数ＮＢＷＰＲＢに少なくとも基づき与えられてもよい。該周波数領域リソース割り当てフィールドにより割り当て可能な該上りリンクＢＷＰの１または複数のリソースブロックのうちの先頭のリソースブロックのインデックスは、該上りリンクＢＷＰの１または複数のリソースブロックのうちの先頭のリソースブロックのインデックスＮＢＷＰ＿ＵＬ＿ｓｔａｒｔＲＢであってもよい。
【０２５０】
下りリンクＢＷＰにおける制御リソースセットのＵＳＳで検出される第２の上りリンクＤＣＩフォーマットのペイロードサイズは、上りリンクＢＷＰのリソースブロックの数ＮＢＷＰ＿ＵＬＲＢに少なくとも基づき与えられてもよい。該第１の上りリンクＤＣＩフォーマットに含まれる周波数領域リソース割り当てフィールドのサイズは、該上りリンクＢＷＰのリソースブロックの数ＮＢＷＰ＿ＵＬＲＢに少なくとも基づき与えられてもよい。該周波数領域リソース割り当てフィールドにより割り当て可能な該上りリンクＢＷＰのリソースブロックの最大数は、該上りリンクＢＷＰのリソースブロックの数ＮＢＷＰ＿ＵＬＲＢに少なくとも基づき与えられてもよい。該周波数領域リソース割り当てフィールドにより割り当て可能な該上りリンクＢＷＰの１または複数のリソースブロックのうちの先頭のリソースブロックのインデックスは、該上りリンクＢＷＰの１または複数のリソースブロックのうちの先頭のリソースブロックのインデックスＮＢＷＰ＿ＵＬ＿ｓｔａｒｔＲＢであってもよい。
【０２５１】
以下、本実施形態の一態様に係る種々の装置の態様を説明する。
【０２５２】
（１）上記の目的を達成するために、本発明の態様は、以下のような手段を講じた。すなわち、本発明の第１の態様は、端末装置であって、ＰＢＣＨを受信し、初期下りリンクＢＷＰの制御リソースセットに対応するサーチスペースにおいてＤＣＩフォーマットを含むＰＤＣＣＨをモニタする受信部を備え、前記ＰＢＣＨは、共通リソースブロックに関連する第１のオフセットＮｏｆｆｓｅｔ１を示す第１の上位層のパラメータ、および、サブキャリアに関する第３のオフセットＮｏｆｆｓｅｔ３を示す第２の上位層のパラメータを少なくとも含み、前記第１のオフセットＮｏｆｆｓｅｔ１は、第１のサブキャリアから第２のサブキャリアまでの差を示し、前記第１のサブキャリアは、第１のサブキャリア間隔に対する第１の共通リソースブロックのうちの最も周波数が低いサブキャリアであり、前記第２のサブキャリアは、第２のサブキャリア間隔に対する複数のサブキャリアであり、且つ、前記ＰＢＣＨがマップされる前記複数のサブキャリアのうちの最も周波数が低いサブキャリアであり、前記第１のサブキャリアから前記第２のサブキャリアまでの差は、前記第２のサブキャリア間隔によって定義されるサブキャリアの数によって与えられ、前記第３のオフセットＮｏｆｆｓｅｔ３は、第２の共通リソースブロックから前記第１の共通リソースブロックまでの差を示し、前記第２の共通リソースブロックは、第３のサブキャリア間隔に対する複数の共通リソースブロックであり、且つ、前記制御リソースセットがマップされる前記複数の共通リソースブロックのうちの最も周波数が低い共通リソースブロックであり、前記第２の共通リソースブロックから前記第１の共通リソースブロックまでの差は、前記第３のサブキャリア間隔によって定義される共通リソースブロックの数によって与えられ、前記初期下りリンクＢＷＰの共通リソースブロックの数ＮＢＷＰ＿ｉｎｉｔＲＢは、前記第３のオフセットＮｏｆｆｓｅｔ３、前記制御リソースセットがマップされる共通リソースブロックの数ＮＣＯＲＥＳＥＴ＿ｉｎｉｔＲＢ、および、前記ＰＢＣＨが完全に、または、部分的にマップされる共通リソースブロックの数ＮＰＢＣＨ＿ｏｖｅｒｌａｐＲＢに少なくとも基づき与えられ、前記共通リソースブロックの数ＮＢＷＰ＿ｉｎｉｔＲＢ、前記共通リソースブロックの数ＮＣＯＲＥＳＥＴ＿ｉｎｉｔＲＢ、および
、前記共通リソースブロックの数ＮＰＢＣＨ＿ｏｖｅｒｌａｐＲＢは、前記第３のサブキャリア間隔によって定義される。
【０２５３】
（２）また、本発明の第１の態様において、前記第３のサブキャリア間隔は、前記ＰＢＣＨに含まれる第３の上位層のパラメータによって与えられる。
【０２５４】
（３）また、本発明の第１の態様において、前記第１のサブキャリア間隔と前記第２のサブキャリア間隔は、第１の所定のサブキャリア間隔である。
【０２５５】
（４）また、本発明の第１の態様において、前記第１の所定のサブキャリア間隔は１５ｋＨｚである。
【０２５６】
（５）また、本発明の第１の態様において、前記第１のサブキャリア間隔は、第２の所定のサブキャリア間隔であり、前記第２のサブキャリア間隔は、前記第３の上位層のパラメータによって与えられる。
【０２５７】
（６）また、本発明の第２の態様は、基地局装置であって、ＰＢＣＨを送信し、初期下りリンクＢＷＰの制御リソースセットに対応するサーチスペースにおいてＤＣＩフォーマットを含むＰＤＣＣＨを送信する送信部を備え、前記ＰＢＣＨは、共通リソースブロックに関連する第１のオフセットＮｏｆｆｓｅｔ１を示す第１の上位層のパラメータ、および、サブキャリアに関する第３のオフセットＮｏｆｆｓｅｔ３を示す第２の上位層のパラメータを少なくとも含み、前記第１のオフセットＮｏｆｆｓｅｔ１は、第１のサブキャリアから第２のサブキャリアまでの差を示し、前記第１のサブキャリアは、第１のサブキャリア間隔に対する第１の共通リソースブロックのうちの最も周波数が低いサブキャリアであり、前記第２のサブキャリアは、第２のサブキャリア間隔に対する複数のサブキャリアであり、且つ、前記ＰＢＣＨがマップされる前記複数のサブキャリアのうちの最も周波数が低いサブキャリアであり、前記第１のサブキャリアから前記第２のサブキャリアまでの差は、前記第２のサブキャリア間隔によって定義されるサブキャリアの数によって与えられ、前記第３のオフセットＮｏｆｆｓｅｔ３は、第２の共通リソースブロックから前記第１の共通リソースブロックまでの差を示し、前記第２の共通リソースブロックは、第３のサブキャリア間隔に対する複数の共通リソースブロックであり、且つ、前記制御リソースセットがマップされる前記複数の共通リソースブロックのうちの最も周波数が低い共通リソースブロックであり、前記第２の共通リソースブロックから前記第１の共通リソースブロックまでの差は、前記第３のサブキャリア間隔によって定義される共通リソースブロックの数によって与えられ、前記初期下りリンクＢＷＰの共通リソースブロックの数ＮＢＷＰ＿ｉｎｉｔＲＢは、前記第３のオフセットＮｏｆｆｓｅｔ３、前記制御リソースセットがマップされる共通リソースブロックの数ＮＣＯＲＥＳＥＴ＿ｉｎｉｔＲＢ、および、前記ＰＢＣＨが完全に、または、部分的にマップされる共通リソースブロックの数ＮＰＢＣＨ＿ｏｖｅｒｌａｐＲＢに少なくとも基づき与えられ、前記共通リソースブロックの数ＮＢＷＰ＿ｉｎｉｔＲＢ、前記共通リソースブロックの数ＮＣＯＲＥＳＥＴ＿ｉｎｉｔＲＢ、および、前記共通リソースブロックの数ＮＰＢＣＨ＿ｏｖｅｒｌａｐＲＢは、前記第３のサブキャリア間隔によって定義される。
【０２５８】
（７）また、本発明の第２の態様において、前記第３のサブキャリア間隔は、前記ＰＢＣＨに含まれる第３の上位層のパラメータによって与えられる。
【０２５９】
（８）また、本発明の第２の態様において、前記第１のサブキャリア間隔と前記第２のサブキャリア間隔は、第１の所定のサブキャリア間隔である。
【０２６０】
（９）また、本発明の第２の態様において、前記第１の所定のサブキャリア間隔は１５
ｋＨｚである。
【０２６１】
（１０）また、本発明の第２の態様において、前記第１のサブキャリア間隔は、第２の所定のサブキャリア間隔であり、前記第２のサブキャリア間隔は、前記第３の上位層のパラメータによって与えられる。
【０２６２】
第１の態様、および／または、第２の態様において、前記第１のサブキャリア間隔は、第１のサブキャリア間隔の設定μに対応するサブキャリア間隔であってもよい。
【０２６３】
第１の態様、および／または、第２の態様において、前記第２のサブキャリア間隔は、第２のサブキャリア間隔の設定μに対応するサブキャリア間隔であってもよい。
【０２６４】
第１の態様、および／または、第２の態様において、前記第３のサブキャリア間隔は、第３のサブキャリア間隔の設定μに対応するサブキャリア間隔であってもよい。
【０２６５】
第１の態様、および／または、第２の態様において、前記第１の共通リソースブロックは、第３のポイントであってもよい。
【０２６６】
第１の態様、および／または、第２の態様において、前記第２の共通リソースブロックは、第２のポイントであってもよい。
【０２６７】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０２６８】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２６９】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２７０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２７１】
また、上述した実施形態における基地局装置３は、複数の装置から構成される集合体（装置グループ）として実現することもできる。装置グループを構成する装置の各々は、上
述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２７２】
また、上述した実施形態における基地局装置３は、ＥＵＴＲＡＮ（Evolved Universal Terrestrial Radio Access Network）および／またはＮＧ−ＲＡＮ（NextGen RAN，NR RAN）であってもよい。また、上述した実施形態における基地局装置３は、ｅＮｏｄｅＢお
よび／またはｇＮＢに対する上位ノードの機能の一部または全部を有してもよい。
【０２７３】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２７４】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２７５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２７６】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
【図１】
2019198014.tif 000009
【図２】
2019198014.tif 000010
【図３】
2019198014.tif 000011
【図４】
2019198014.tif 000012
【図５】
2019198014.tif 000013
【図６】
2019198014.tif 000014
【図７】
2019198014.tif 000015
【図８】
2019198014.tif 000016
【図９】
2019198014.tif 000017
【図１０】
2019198014.tif 000018
【図１１】
2019198014.tif 000019
【図１２】
2019198014.tif 000020
【図１３】
2019198014.tif 000021